(57)【特許請求の範囲】
【請求項１】
画像情報に応じて複数の色光のそれぞれを変調する複数の液晶装置と、
前記複数の液晶装置で変調されたそれぞれの色光を合成するクロスダイクロイックプリズムと、
前記クロスダイクロイックプリズムで合成された光を投写する投写光学系と、
前記複数の液晶装置のそれぞれの光入射側に配置され、少なくとも偏光層を有する複数の入射側偏光板と、
前記複数の液晶装置のそれぞれの光射出側に配置され、少なくとも偏光層を有する複数の射出側偏光板と、
前記複数の射出側偏光板のうち少なくとも１つの射出側偏光板における光入射側の面にそれぞれ接着され、前記少なくとも１つの射出側偏光板に接着された面の反対側の面は冷却風の流路に面している第１の透光性部材とを備え、
前記クロスダイクロイックプリズムは、前記複数の液晶装置で変調された色光をそれぞれ入射する複数の光入射端面と、合成された色光を射出する光射出端面とを有し、
前記少なくとも１つの射出側偏光板は、前記第１の透光性部材に接着された面に対向する光射出側の面が前記クロスダイクロイックプリズムにおける光入射端面に接着されており、
前記少なくとも１つの射出側偏光板で発生した熱は、当該光入射側の面に接着され冷却風の流路に面する前記第１の透光性部材から放熱されるとともに、当該光射出側の面に接着されたクロスダイクロイックプリズムからも放熱されることを特徴とするプロジェクタ。
【請求項２】
請求項１に記載のプロジェクタにおいて、
前記複数の射出側偏光板は、前記偏光層の光射出側にのみ、前記偏光層を支持する支持層を有することを特徴とするプロジェクタ。
【請求項３】
請求項１又は２に記載のプロジェクタにおいて、
前記複数の入射側偏光板は、前記偏光層の光入射側にのみ、前記偏光層を支持する支持層を有することを特徴とするプロジェクタ。
【請求項４】
請求項１〜３のいずれかに記載のプロジェクタにおいて、
前記複数の液晶装置のそれぞれの光入射側に配置される複数の集光レンズと、
前記複数の入射側偏光板における光射出側の面に接着される複数の第２の透光性部材とをさらに備え、
前記複数の入射側偏光板における光入射側の面が前記複数の集光レンズにおける光射出側の面にそれぞれ接着されていることを特徴とするプロジェクタ。
【請求項５】
請求項４に記載のプロジェクタにおいて、
前記第２の透光性部材は、サファイア又は水晶からなる透光性基板であることを特徴とするプロジェクタ。
【請求項６】
請求項５に記載のプロジェクタにおいて、
前記サファイア又は水晶からなる透光性基板の光学軸が前記偏光層の偏光軸に略平行又は略垂直となるように、前記入射側偏光板に対して前記サファイア又は水晶からなる透光性基板が配置されていることを特徴とするプロジェクタ。
【請求項７】
請求項４に記載のプロジェクタにおいて、
前記第２の透光性部材は、石英ガラス、硬質ガラス、結晶化ガラスまたは立方晶の焼結体からなる透光性基板であることを特徴とするプロジェクタ。
【請求項８】
請求項１〜７のいずれかに記載のプロジェクタにおいて、
前記第１の透光性部材は、サファイア又は水晶からなる透光性基板であることを特徴とするプロジェクタ。
【請求項９】
請求項８に記載のプロジェクタにおいて、
前記サファイア又は水晶からなる透光性基板の光学軸が前記偏光層の偏光軸に略平行又は略垂直となるように、前記射出側偏光板に対して前記サファイア又は水晶からなる透光性基板が配置されていることを特徴とするプロジェクタ。
【請求項１０】
請求項１〜７のいずれかに記載のプロジェクタにおいて、
前記第１の透光性部材は、石英ガラス、硬質ガラス、結晶化ガラスまたは立方晶の焼結体からなる透光性基板であることを特徴とするプロジェクタ。
【請求項１１】
請求項１〜７のいずれかに記載のプロジェクタにおいて、
各光学系を内部に収納する筐体と、
前記第１の透光性部材のうち少なくとも１つと前記筐体との間で熱を伝達する熱伝導部材とをさらに備えることを特徴とするプロジェクタ。
【請求項１２】
請求項４〜１１のいずれかに記載のプロジェクタにおいて、
各光学系を内部に収納する筐体と、
前記第２の透光性部材のうち少なくとも１つと前記筐体との間で熱を伝達する熱伝導部材とをさらに備えることを特徴とするプロジェクタ。
【請求項１３】
請求項１〜１２のいずれかに記載のプロジェクタにおいて、
前記第１の透光性部材は、前記液晶装置から射出された光のうち所定の方向に軸を有する直線偏光のみを透過しその他の光を反射する偏光分離光学素子であることを特徴とするプロジェクタ。
【請求項１４】
請求項１〜１３のいずれかに記載のプロジェクタにおいて、
前記第１の透光性部材を冷却する冷却風流路が設けられていることを特徴とするプロジェクタ。
【発明の詳細な説明】
【技術分野】
【０００１】
本発明は、光学装置及びプロジェクタに関する。
【背景技術】
【０００２】
電気光学変調装置としての液晶装置を備えるプロジェクタにおいては、液晶装置の光入射側には偏光子としての偏光板（以下、入射側偏光板ということもある。）が配置され、液晶装置の光射出側には検光子としての偏光板（以下、射出側偏光板ということもある。）が配置されている。ところで、この射出側偏光板においては、射出側偏光板を通過しない光は内部で吸収されるため、多量の熱が発生して射出側偏光板の温度上昇を招くこととなる。このため、射出側偏光板が劣化して射出側偏光板の偏光特性が低下し、投写画像のコントラストを低下させたり、コントラストむらや色むらなどを発生させたりしてしまうなど、投写画像の画像品質を低下させてしまうという問題があった。
【０００３】
そこで、このような問題を解決するためのプロジェクタとして、クロスダイクロイックプリズムに熱伝導性の透明基板を貼り付け、この熱伝導性の透明基板に射出側偏光板をさらに貼り付けた構造を有するプロジェクタが開示されている（例えば、特許文献１及び２参照。）。このプロジェクタによれば、射出側偏光板で発生した熱は、熱伝導性の透明基板を介して熱容量の大きなクロスダイクロイックプリズムに放散されるようになるため、射出側偏光板の温度上昇を抑制することが可能になる。このため、射出側偏光板が劣化して射出側偏光板の偏光特性が低下することを抑制することが可能になる。その結果、投写画像のコントラストを低下させたり、コントラストむらや色むらなどを発生させたりしてしまうなど、投写画像の画像品質を低下させてしまうことを抑制することが可能になる。
【０００４】
【特許文献１】特開２００２−９０８７３号公報
【特許文献２】特開２０００−３５２６１５号公報
【発明の開示】
【発明が解決しようとする課題】
【０００５】
しかしながら、近年のプロジェクタにおいては、プロジェクタの高輝度化がさらに進み、射出側偏光板においては従来よりも多量の熱が発生し、従来よりも射出側偏光板の温度上昇が起こり易くなってきている。このため、射出側偏光板の温度上昇に起因して、射出側偏光板が劣化して射出側偏光板の偏光特性が低下し、投写画像のコントラストを低下させたり、コントラストむらや色むらなどを発生させたりしてしまうなど、投写画像の画像品質を低下させてしまうという問題が起こり易くなってきている。
【０００６】
なお、このような問題は、検光子としての射出側偏光板のみに見られる問題ではなく偏光子としての入射側偏光板の場合にも同様に見られる問題である。すなわち、偏光板全般に対して同様に見られる問題である。
【０００７】
そこで、本発明は、このような問題を解決するためになされたもので、偏光板の温度上昇に起因して投写画像の画像品質が低下してしまうことが従来よりも抑制された光学装置及びプロジェクタを提供することを目的とする。
【課題を解決するための手段】
【０００８】
本発明の光学装置は、画像情報に応じて複数の色光のそれぞれを変調する複数の液晶装置と、前記複数の液晶装置で変調されたそれぞれの色光を合成するクロスダイクロイックプリズムと、前記複数の液晶装置のそれぞれの光入射側に配置され、少なくとも偏光層を有する複数の入射側偏光板と、前記複数の液晶装置のそれぞれの光射出側に配置され、少なくとも偏光層を有する複数の射出側偏光板と、前記複数の射出側偏光板のうち少なくとも１つの射出側偏光板における光入射側の面にそれぞれ接着される第１の透光性部材とを備え、前記クロスダイクロイックプリズムは、前記複数の液晶装置で変調された色光をそれぞれ入射する複数の光入射端面と、合成された色光を射出する光射出端面とを有し、前記少なくとも１つの射出側偏光板における光射出側の面が前記クロスダイクロイックプリズムにおける光入射端面に接着されていることを特徴とする。
【０００９】
本発明のプロジェクタは、画像情報に応じて複数の色光のそれぞれを変調する複数の液晶装置と、前記複数の液晶装置で変調されたそれぞれの色光を合成するクロスダイクロイックプリズムと、前記クロスダイクロイックプリズムで合成された光を投写する投写光学系と、前記複数の液晶装置のそれぞれの光入射側に配置され、少なくとも偏光層を有する複数の入射側偏光板と、前記複数の液晶装置のそれぞれの光射出側に配置され、少なくとも偏光層を有する複数の射出側偏光板と、前記複数の射出側偏光板のうち少なくとも１つの射出側偏光板における光入射側の面にそれぞれ接着される第１の透光性部材とを備え、前記クロスダイクロイックプリズムは、前記複数の液晶装置で変調された色光をそれぞれ入射する複数の光入射端面と、合成された色光を射出する光射出端面とを有し、前記少なくとも１つの射出側偏光板における光射出側の面が前記クロスダイクロイックプリズムにおける光入射端面に接着されていることを特徴とする。
【００１０】
このため、本発明の光学装置又はプロジェクタによれば、複数の射出側偏光板のうち少なくとも１つの射出側偏光板における光入射側（液晶装置側）の面に第１の透光性部材が接着されているとともに、射出側偏光板における光射出側（液晶装置とは反対側）の面がクロスダイクロイックプリズムにおける光入射端面に接着されているため、射出側偏光板で発生した熱を射出側偏光板の両面から第１の透光性部材及びクロスダイクロイックプリズムに伝達すことができるようになる。このため、射出側偏光板の温度上昇を抑制することが可能になる。また、射出側偏光板は外気に触れることがなくなるため、外気からの水分の浸入を抑制することが可能になる。このため、射出側偏光板の温度上昇及び外気からの水分の浸入に起因して射出側偏光板の支持層が膨張・変形してしまうことを抑制することが可能となり、支持層における分子配向の乱れの発生を抑制することが可能になる。その結果、射出側偏光板としての偏光特性が低下して射出側偏光板を通過する光束の品質低下を抑制することが可能になる。
【００１１】
従って、この光学装置を例えばプロジェクタに用いることによって、射出側偏光板の温度上昇に起因して投写画像の画像品質が低下してしまうことが従来よりも抑制されたプロジェクタを構成することが可能になる。
【００１２】
また、本発明の光学装置又はプロジェクタによれば、射出側偏光板は、熱容量が比較的大きなクロスダイクロイックプリズムに接着されているため、射出側偏光板の温度上昇を抑制し、プロジェクタの放熱性能を高めることができるという効果もある。
【００１３】
本発明の光学装置又はプロジェクタにおいては、前記第１の透光性部材と前記射出側偏光板と前記クロスダイクロイックプリズムとは、それぞれ粘着剤又は接着剤によって貼り合わされていることが好ましい。
【００１４】
このように構成することにより、各部材間の界面における表面反射の発生が抑制され、光透過率を高めることが可能になる。その結果、投写画像の明るさを向上することが可能になる。
また、第１の透光性部材、射出側偏光板及びクロスダイクロイックプリズムの線膨張係数がそれぞれ異なる場合であっても、各部材間の貼り合わせ面における剥離が起こりにくくなり、長期信頼性の低下を抑制することが可能になる。
【００１５】
本発明の光学装置又はプロジェクタにおいては、前記複数の射出側偏光板は、前記偏光層の光射出側にのみ、前記偏光層を支持する支持層を有することが好ましい。
【００１６】
このように構成することにより、光入射側の支持層における分子配向の乱れの発生が存在しなくなる。つまり、支持層における熱歪による複屈折が、偏光層と液晶装置との間に存在しないので、液晶装置によって変調された光がそのままの状態で偏光層に到達することとなる。このため、射出側偏光板の温度上昇に起因して射出側偏光板としての偏光特性が大きく低下して投写画像の画像品質を大きく低下させてしまうことがなくなる。なお、この場合、仮に温度上昇に起因して光射出側の支持層における偏光特性が若干低下したとしても、その偏光特性の低下は偏光層で検光されてしまうことはないため、投写画像の画像品質を大きく低下させてしまうことはない。
【００１７】
なお、本発明の光学装置又はプロジェクタにおいては、上記したように複数の射出側偏光板のうち少なくとも１つの射出側偏光板における光入射側の面に第１の透光性部材が接着されているとともに、当該少なくとも１つの射出側偏光板における光射出側の面がクロスダイクロイックプリズムにおける光入射端面に接着されているため、複数の射出側偏光板のそれぞれが、偏光層の光射出側にのみ支持層を有する構造であったとしても、所定の機械的強度を得ることができる。
【００１８】
本発明の光学装置又はプロジェクタにおいては、前記複数の射出側偏光板は、光射出側の支持層も省略された構造を有する偏光板であってもよい。
【００１９】
本発明の光学装置又はプロジェクタにおいては、前記複数の入射側偏光板は、前記偏光層の光入射側にのみ、前記偏光層を支持する支持層を有することが好ましい。
【００２０】
このように構成することにより、光射出側（液晶装置側）の支持層における分子配向の乱れの発生が存在しなくなる。つまり、支持層における熱歪による複屈折が、偏光層と液晶装置との間に存在しないので、偏光層で所定の方向に軸を有する直線偏光に揃えられた光がそのままの状態で液晶装置に到達することとなる。このため、入射側偏光板の温度上昇に起因して入射側偏光板としての偏光特性が大きく低下して投写画像の画像品質を大きく低下させてしまうことがなくなる。なお、この場合、仮に温度上昇に起因して光入射側（液晶装置とは反対側）の支持層における偏光特性が若干低下したとしても、その偏光特性の低下は入射側偏光板の偏光層で補償され、射出側偏光板の偏光層で誤って検光されてしまうことはないため、投写画像の画像品質を大きく低下させてしまうことはない。
【００２１】
本発明の光学装置又はプロジェクタにおいては、前記複数の入射側偏光板は、光入射側の支持層も省略された構造を有する偏光板であってもよい。
【００２２】
本発明の光学装置又はプロジェクタにおいては、前記第１の透光性部材は、サファイア又は水晶からなる透光性基板であることが好ましい。
【００２３】
これらの材料からなる透光性基板は熱伝導性に非常に優れているため、射出側偏光板で発生した熱を効率よく系外に放散させることができ、射出側偏光板の温度上昇に起因した偏光特性の劣化をさらに抑制することができる。
【００２４】
本発明の光学装置又はプロジェクタにおいては、前記サファイア又は水晶からなる透光性基板の光学軸が前記偏光層の偏光軸に略平行又は略垂直となるように、前記射出側偏光板に対して前記サファイア又は水晶からなる透光性基板が配置されていることが好ましい。
【００２５】
第１の透光性部材として、サファイア又は水晶からなる透光性基板を用いた場合においても、上記のように構成することにより、サファイア又は水晶からなる透光性基板を通過する光の偏光状態が変化しなくなる。
【００２６】
また、サファイア又は水晶からなる透光性基板における熱膨張が大きな軸方向と射出側偏光板の延伸方向とを揃えることにより、射出側偏光板の熱変形を抑制することができる。
【００２７】
本発明の光学装置又はプロジェクタにおいては、前記第１の透光性部材は、石英ガラス、硬質ガラス、結晶化ガラスまたは立方晶の焼結体からなる透光性基板であることが好ましい。
【００２８】
これらの材料からなる透光性基板は複屈折が小さいため、透光性基板を通過する光束の品質低下を抑制することができる。また、これらの材料からなる透光性基板は熱膨張率が比較的小さいため、熱による伸び・変形が大きいという性質を有する射出側偏光板をこのような熱膨張率の小さな材料からなる透光性基板に接着することにより、射出側偏光板自体の変形を抑えることができる。
【００２９】
なお、この明細書において「偏光層の偏光軸」とは、偏光層を通過する光の偏光軸のことである。
【００３０】
本発明のプロジェクタにおいては、前記複数の液晶装置のそれぞれの光入射側に配置される複数の集光レンズと、前記複数の入射側偏光板における光射出側の面に接着される複数の第２の透光性部材とをさらに備え、前記複数の入射側偏光板における光入射側の面が前記複数の集光レンズにおける光射出側の面にそれぞれ接着されていることが好ましい。
【００３１】
このように構成することにより、複数の入射側偏光板における光射出側の面に複数の第２の透光性部材がそれぞれ接着されているとともに、複数の入射側偏光板における光入射側の面が複数の集光レンズにおける光射出側の面にそれぞれ接着されているため、入射側偏光板で発生した熱を入射側偏光板の両面から第２の透光性部材及び集光レンズに伝達することができるようになる。このため、入射側偏光板の温度上昇を抑制することが可能になる。また、入射側偏光板は外気に触れることがなくなるため、外気からの水分の浸入が抑制されるようになる。このため、入射側偏光板の温度上昇及び外気からの水分の浸入に起因して入射側偏光板の支持層が膨張・変形してしまうことを抑制することが可能となり、支持層における分子配向の乱れの発生を抑制することが可能になる。その結果、入射側偏光板としての偏光特性が低下して入射側偏光板を通過する光束の品質低下を抑制することが可能になる。
【００３２】
このため、本発明のプロジェクタは、入射側偏光板及び射出側偏光板の温度上昇に起因して投写画像の画像品質が低下してしまうことが従来よりもさらに抑制されたプロジェクタとなる。
【００３３】
本発明のプロジェクタにおいては、前記第２の透光性部材は、サファイア又は水晶からなる透光性基板であることが好ましい。
【００３４】
これらの材料からなる透光性基板は熱伝導性に非常に優れているため、入射側偏光板で発生した熱を効率よく系外に放散させることができ、入射側偏光板の温度上昇に起因した偏光特性の劣化をさらに抑制することができる。
【００３５】
本発明のプロジェクタにおいては、前記サファイア又は水晶からなる透光性基板の光学軸が前記偏光層の偏光軸に略平行又は略垂直となるように、前記入射側偏光板に対して前記サファイア又は水晶からなる透光性基板が配置されていることが好ましい。
【００３６】
第２の透光性部材として、サファイア又は水晶からなる透光性基板を用いた場合においても、上記のように構成することにより、サファイア又は水晶からなる透光性基板を通過する光の偏光状態が変化しなくなる。
【００３７】
また、サファイア又は水晶からなる透光性基板における熱膨張が大きな軸方向と入射側偏光板の延伸方向とを揃えることにより、入射側偏光板の熱変形を抑制することができる。
【００３８】
本発明のプロジェクタにおいては、前記第２の透光性部材は、石英ガラス、硬質ガラス、結晶化ガラスまたは立方晶の焼結体からなる透光性基板であることが好ましい。
【００３９】
これらの材料からなる透光性基板は複屈折が小さいため、透光性基板を通過する光束の品質低下を抑制することができる。また、これらの材料からなる透光性基板は熱膨張率が比較的小さいため、熱による伸び・変形が大きいという性質を有する入射側偏光板をこのような熱膨張率の小さな材料からなる透光性基板に接着することにより、入射側偏光板自体の変形を抑えることができる。
【００４０】
なお、本発明の光学装置又はプロジェクタにおいては、第１の透光性部材及び第２の透光性部材としては、他の透明ガラス（例えば、白板ガラスやパイレックス（登録商標）など）からなる透光性基板、ＹＡＧ多結晶からなる透光性基板、酸窒化アルミニウムからなる透光性基板なども好適に用いることができる。
【００４１】
本発明のプロジェクタにおいては、各光学系を内部に収納する筐体と、前記第１の透光性部材のうち少なくとも１つと前記筐体との間で熱を伝達する熱伝導部材とをさらに備えることが好ましい。
【００４２】
このように構成することにより、射出側偏光板で発生した熱は、第１の透光性部材及び熱伝導部材を介し筐体に放散されるようになるため、プロジェクタの放熱性能を高めることができる。
【００４３】
本発明のプロジェクタにおいては、各光学系を内部に収納する筐体と、前記第２の透光性部材のうち少なくとも１つと前記筐体との間で熱を伝達する熱伝導部材とをさらに備えることが好ましい。
【００４４】
このように構成することにより、入射側偏光板で発生した熱は、第２の透光性部材及び熱伝導部材を介して筐体に放散されるようになるため、プロジェクタの放熱性能を高めることができる。
【００４５】
プロジェクタの放熱性能をさらに高めるという観点からいえば、前記第１の透光性部材と筐体との間及び前記第２の透光性部材と筐体との間には、それぞれ熱伝導部材が介在するように構成されていることが好ましい。
【００４６】
前記熱伝導部材は、金属からなることが好ましい。
【００４７】
本発明のプロジェクタにおいては、前記第１の透光性部材は、前記液晶装置から射出された光のうち所定の方向に軸を有する直線偏光のみを透過しその他の光を反射する偏光分離光学素子であることが好ましい。
【００４８】
このように構成することにより、液晶装置から射出された光のうち所定の方向に軸を有する直線偏光は、偏光分離光学素子を透過して投写光学系で投写されてスクリーン等の投写面に投写されることとなる一方、その他の光、すなわち投写光学系への進行を禁止されるべき光（偏光層を透過しない偏光成分）は、偏光分離光学素子で反射されて系外に逃がされる。このため、射出側偏光板に入射する光のうち偏光層を透過しない偏光成分の光は、前段としての偏光分離光学素子によってほとんど除去されているため、射出側偏光板における発熱そのものが効果的に抑制され、射出側偏光板の温度上昇をさらに効果的に抑制することが可能になる。
【００４９】
本発明のプロジェクタにおいては、前記偏光分離光学素子としては、誘電体多層膜からなる偏光分離光学素子、多数の微細金属細線が配列されたワイヤグリッド型の偏光分離光学素子、二軸方向性の有るフィルムを複数枚積層してＸＹ型の偏光特性を持たせたＸＹ型偏光フィルムを用いた偏光分離光学素子などを好ましく用いることができる。
【００５０】
本発明のプロジェクタにおいては、前記第１の透光性部材を冷却する冷却風流路が設けられていることが好ましい。
【００５１】
このように構成することにより、冷却風流路からの冷却風によって第１の透光性部材を冷却することができるため、第１の透光性部材の温度上昇を抑制し、射出側偏光板で発生した熱を効率的に除去することができる。
【００５２】
この場合、前記第２の透光性部材を冷却する冷却風流路が設けられていることがさらに好ましい。
【００５３】
このように構成することにより、冷却風流路からの冷却風によってさらに第２の透光性部材を冷却することができるため、第２の透光性部材の温度上昇を抑制し、入射側偏光板で発生した熱を効率的に除去することができる。
【発明を実施するための最良の形態】
【００５４】
以下、本発明の光学装置及びプロジェクタについて、図に示す実施の形態に基づいて説明する。
【００５５】
［実施形態１］
図１は、実施形態１に係るプロジェクタ１０００の光学系を示す図である。図２は、実施形態１に係る光学装置５１０を説明するために示す図である。図２（ａ）は光学装置５１０を上面から見た図であり、図２（ｂ）は図２（ａ）のＡ−Ａ断面図である。図３は、実施形態１に係る光学装置５１０の要部を説明するために示す図である。図３（ａ）は射出側偏光板４４０Ｒ周辺部分を側面から見た図であり、図３（ｂ）は入射側偏光板４２０Ｒ周辺部分を側面から見た図である。
【００５６】
実施形態１に係るプロジェクタ１０００は、図１に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４１０Ｒ，４１０Ｇ，４１０Ｂ及び３つの液晶装置４１０Ｒ，４１０Ｇ，４１０Ｂによって変調された色光を合成するクロスダイクロイックプリズム５００を有する光学装置５１０と、クロスダイクロイックプリズム５００によって合成された光をスクリーンＳＣＲ等の投写面に投写する投写光学系６００とを備えたプロジェクタである。これら各光学系は、筐体１０に収納されている。
【００５７】
照明装置１００は、被照明領域側に略平行な照明光束を射出する光源としての光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、光源装置１１０から射出される偏光方向の揃っていない照明光束を略１種類の直線偏光に揃える偏光変換素子１４０と、偏光変換素子１４０から射出される各部分光束を被照明領域で重畳させるための重畳レンズ１５０とを有している。
【００５８】
光源装置１１０は、リフレクタとしての楕円面リフレクタ１１４と、楕円面リフレクタ１１４の第１焦点近傍に発光中心を有する発光管１１２と、楕円面リフレクタ１１４の反射凹面と対向する反射面を有する補助ミラー１１６と、楕円面リフレクタ１１４で反射される集束光を略平行な光に変換する凹レンズ１１８とを有している。光源装置１１０は、照明光軸１００ａｘを中心軸とする光束を射出する。
【００５９】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射凹面とを有している。
補助ミラー１１６は、発光管１１２の管球部を挟んで楕円面リフレクタ１１４と対向して設けられ、発光管１１２から放射された光のうち楕円面リフレクタ１１４に向かわない光を発光管１１２に戻し楕円面リフレクタ１１４に入射させる。
【００６０】
凹レンズ１１８は、楕円面リフレクタ１１４の被照明領域側に配置されている。そして、楕円面リフレクタ１１４からの光を略平行化するように構成されている。
【００６１】
第１レンズアレイ１２０は、凹レンズ１１８からの光を複数の部分光束に分割する光束分割光学素子としての機能を有し、照明光軸１００ａｘと直交する面内にマトリクス状に配列される複数の第１小レンズ１２２を備えた構成を有している。図示による説明は省略するが、第１小レンズ１２２の外形形状は、液晶装置４１０Ｒ，４１０Ｇ，４１０Ｂの画像形成領域の外形形状に関して相似形である。
【００６２】
第２レンズアレイ１３０は、第１レンズアレイ１２０により分割された複数の部分光束を集光する光学素子であり、第１レンズアレイ１２０と同様に照明光軸１００ａｘに直交する面内にマトリクス状に配列される複数の第２小レンズ１３２を備えた構成を有している。
【００６３】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１１０からの照明光束に含まれる偏光成分のうち一方の直線偏光成分を透過し他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有している。
【００６４】
重畳レンズ１５０は、第１レンズアレイ１２０、第２レンズアレイ１３０及び偏光変換素子１４０を経た複数の部分光束を集光して、液晶装置４１０Ｒ，４１０Ｇ，４１０Ｂにおける画像形成領域近傍に重畳させる光学素子である。なお、図１に示す重畳レンズ１５０は１枚のレンズで構成されているが、複数のレンズを組み合わせた複合レンズで構成されていてもよい。
【００６５】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光及び青色光の３つの色光に分離して、それぞれの色光を照明対象となる液晶装置４１０Ｒ，４１０Ｇ，４１０Ｂに導く機能を有している。
【００６６】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、青色光成分を透過し、緑色光成分を反射するミラーである。
【００６７】
ダイクロイックミラー２１０で反射された赤色光成分は、反射ミラー２３０により曲折され、集光レンズ３００Ｒを介して赤色光用の液晶装置４１０Ｒに入射する。一方、ダイクロイックミラー２１０を透過した緑色光成分及び青色光成分のうち緑色光成分は、ダイクロイックミラー２２０で反射され、集光レンズ３００Ｇを介して緑色光用の液晶装置４１０Ｇに入射する。また、ダイクロイックミラー２２０を透過した青色光成分は、入射側レンズ２６０、リレーレンズ２７０及び反射ミラー２４０，２５０により集光・曲折されて、集光レンズ３００Ｂを介して青色光用の液晶装置４１０Ｂに入射する。入射側レンズ２６０、リレーレンズ２７０及び反射ミラー２４０，２５０は、ダイクロイックミラー２２０を透過した青色光成分を青色光用の液晶装置４１０Ｂまで導く機能を有している。
【００６８】
なお、青色光の光路にこのような入射側レンズ２６０、リレーレンズ２７０及び反射ミラー２４０，２５０が設けられているのは、青色光の光路の長さが他の色光の光路の長さよりも長いため、光の発散等による光の利用効率の低下を防止するためである。実施形態１に係るプロジェクタ１０００においては、青色光の光路の長さが長いのでこのような構成とされているが、赤色光の光路の長さを長くして、入射側レンズ２６０、リレーレンズ２７０及び反射ミラー２４０，２５０を赤色光の光路に用いる構成も考えられる。
【００６９】
光学装置５１０は、色分離導光光学系２００で分離された３つの色光のそれぞれを画像情報に応じて変調する３つの液晶装置４１０Ｒ，４１０Ｇ，４１０Ｂと、３つの液晶装置４１０Ｒ，４１０Ｇ，４１０Ｂで変調されたそれぞれの色光を合成するクロスダイクロイックプリズム５００と、３つの液晶装置４１０Ｒ，４１０Ｇ，４１０Ｂのそれぞれの光入射側に配置される３つの集光レンズ３００Ｒ，３００Ｇ，３００Ｂと、３つの液晶装置４１０Ｒ，４１０Ｇ，４１０Ｂのそれぞれの光入射側に配置される３つの入射側偏光板４２０Ｒ，４２０Ｇ，４２０Ｂと、３つの入射側偏光板４２０Ｒ，４２０Ｇ，４２０Ｂの光射出側の面に接着される３つの第２の透光性部材４３０Ｒ，４３０Ｇ，４３０Ｂと、３つの液晶装置４１０Ｒ，４１０Ｇ，４１０Ｂのそれぞれの光射出側に配置される３つの射出側偏光板４４０Ｒ，４４０Ｇ，４４０Ｂと、３つの射出側偏光板４４０Ｒ，４４０Ｇ，４４０Ｂにおける光入射側の面にそれぞれ接着される３つの第１の透光性部材４５０Ｒ，４５０Ｇ，４５０Ｂとを有している。
【００７０】
集光レンズ３００Ｒは、第２レンズアレイ１３０から射出された各部分光束を、各部分光束の主光線に対して略平行な光に変換するために設けられている。集光レンズ３００Ｒは、図示しない熱伝導性の保持部材によって保持されており、この熱伝導性の保持部材を介して筐体１０に配設されている。他の集光レンズ３００Ｇ，３００Ｂも、集光レンズ３００Ｒと同様に構成されている。
【００７１】
液晶装置４１０Ｒ，４１０Ｇ，４１０Ｂは、照明光束を画像情報に応じて変調するものであり、照明装置１００の照明対象となる。
各液晶装置４１０Ｒ，４１０Ｇ，４１０Ｂは、一対の透明なガラス基板に電気光学物質である液晶を封入したものであり、例えば、ポリシリコンＴＦＴをスイッチング素子として、与えられた画像信号に従って、入射側偏光板４２０Ｒ，４２０Ｇ，４２０Ｂから射出された１種類の直線偏光の偏光方向を変調する。液晶装置４１０Ｒ，４１０Ｇ，４１０Ｂは、図示を省略したが、例えばアルミニウム製のダイキャストフレームからなる液晶装置保持枠に保持されている。
【００７２】
入射側偏光板４２０Ｒ，４２０Ｇ，４２０Ｂは、図２に示すように、集光レンズ３００Ｒ，３００Ｇ，３００Ｂと液晶装置４１０Ｒ，４１０Ｇ，４１０Ｂとの間に配置され、集光レンズ３００Ｒ，３００Ｇ，３００Ｂから射出された光のうち、所定の方向に軸を有する直線偏光のみを透過し、その他の光を吸収する機能を有している。
【００７３】
入射側偏光板４２０Ｒは、図３（ｂ）に示すように、偏光層２０と、偏光層２０を支持する支持層２２とを有している。そして、支持層２２が偏光層２０における液晶装置４１０Ｒとは反対側（集光レンズ３００Ｒ側）になるように、入射側偏光板４２０Ｒが集光レンズ３００Ｒの光射出面に接着層Ｃを介して接着されている。偏光層２０としては、例えばポリビニルアルコール（ＰＶＡ）をヨウ素又は二色性染料で染色し一軸延伸して、該染料の分子を一方向に配列させるように形成された偏光層を好ましく用いることができる。このように形成された偏光層２０は、前記一軸延伸方向に平行な方向の偏光を吸収し、一方、前記一軸延伸方向に垂直な方向の偏光を透過させる。偏光層２０は延伸状態から元の状態に戻ろうとする力が大きいので、その力を規制するために、偏光層２０を支持する支持層が設けられている。支持層２２としては、トリアセチルセルロース（ＴＡＣ）からなる支持層を好ましく用いることができる。他の入射側偏光板４２０Ｇ，４２０Ｂも、入射側偏光板４２０Ｒと同様に構成されている。
【００７４】
入射側偏光板４２０Ｒ，４２０Ｇ，４２０Ｂの液晶装置側（光射出側）には、第２の透光性部材４３０Ｒ，４３０Ｇ，４３０Ｂがそれぞれ配設されている。第２の透光性部材４３０Ｒ，４３０Ｇ，４３０Ｂは、例えばサファイアからなる透光性基板である。サファイアからなる透光性基板は、熱伝導率が約４０Ｗ／（ｍ・Ｋ）と高い上、硬度も非常に高く、熱膨張率は小さく、傷がつきにくく透明度が高い。なお、中程度の輝度として安価性を重視する場合には、約１０Ｗ／（ｍ・Ｋ）の熱伝導率を有する水晶からなる透光性基板を用いてもよい。第２の透光性部材４３０Ｒ，４３０Ｇ，４３０Ｂの厚さは、熱伝導性の観点からいえば０．２ｍｍ以上であることが好ましく、装置の小型化の観点からいえば２．０ｍｍ以下であることが好ましい。
【００７５】
図３（ｂ）に示すように、入射側偏光板４２０Ｒにおける光入射側の面と集光レンズ３００Ｒにおける光射出側の面とは、接着層Ｃを介して接着されている。また、入射側偏光板４２０Ｒにおける光射出側の面と第２の透光性部材４３０Ｒにおける光入射側の面とは、粘着層Ｄを介して貼り合わされている。これにより、各部材間の界面における表面反射の発生が抑制され、光透過率を高めることが可能になる。その結果、投写画像の明るさを向上することが可能になる。また、第２の透光性部材４３０Ｒ、入射側偏光板４２０Ｒ及び集光レンズ３００Ｒの線膨張係数がそれぞれ異なる場合であっても、各部材間の貼り合わせ面における剥離が起こりにくくなり、長期信頼性の低下を抑制することが可能になる。なお、入射側偏光板４２０Ｒにおける光入射側の面と集光レンズ３００Ｒにおける光射出側の面とを粘着剤で貼り合わせてもよいし、入射側偏光板４２０Ｒにおける光射出側の面と第２の透光性部材４３０Ｒにおける光入射側の面とを接着剤で接着してもよい。他の入射側偏光板４２０Ｇ，４２０Ｂの周辺部分も、入射側偏光板４２０Ｒの周辺部分と同様に構成されている。
【００７６】
入射側偏光板４２０Ｒ，４２０Ｇ，４２０Ｂの周囲には、接着層Ｃが形成されている。接着層Ｃに用いる接着剤としては、例えばＵＶ硬化性の接着剤や可視光短波長硬化性の接着剤などを好適に用いることができる。
【００７７】
射出側偏光板４４０Ｒ，４４０Ｇ，４４０Ｂは、図２に示すように、液晶装置４１０Ｒ，４１０Ｇ，４１０Ｂとクロスダイクロイックプリズム５００との間に配置され、液晶装置４１０Ｒ，４１０Ｇ，４１０Ｂから射出された光のうち、所定の方向に軸を有する直線偏光のみを透過し、その他の光を吸収する機能を有している。
【００７８】
射出側偏光板４４０Ｒは、図３（ａ）に示すように、偏光層４０と、偏光層４０を支持する支持層４２とを有している。そして、支持層４２が偏光層４０における液晶装置４１０Ｒとは反対側（クロスダイクロイックプリズム５００側）になるように、射出側偏光板４４０Ｒがクロスダイクロイックプリズム５００の光入射端面に接着層Ｃを介して接着されている。偏光層４０及び支持層４２としては、入射側偏光板４２０Ｒのものと同様の材料を用いることができる。他の射出側偏光板４４０Ｇ，４４０Ｂも、射出側偏光板４４０Ｒと同様に構成されている。
【００７９】
射出側偏光板４４０Ｒ，４４０Ｇ，４４０Ｂの液晶装置側（光入射側）には、第１の透光性部材４５０Ｒ，４５０Ｇ，４５０Ｂがそれぞれ配設されている。第１の透光性部材４５０Ｒ，４５０Ｇ，４５０Ｂの液晶装置側の面には、図示しない反射防止層が形成されている。第１の透光性部材４５０Ｒ，４５０Ｇ，４５０Ｂも、第２の透光性部材４３０Ｒ，４３０Ｇ，４３０Ｂと同様に、例えばサファイアからなる透光性基板である。
【００８０】
図３（ａ）に示すように、射出側偏光板４４０Ｒにおける光入射側の面と第１の透光性部材４５０Ｒにおける光射出側の面、及び射出側偏光板４４０Ｒにおける光射出側の面とクロスダイクロイックプリズム５００における光入射端面とは、それぞれ接着層Ｃを介して接着されている。これにより、各部材間の界面における表面反射の発生が抑制され、光透過率を高めることが可能になる。その結果、投写画像の明るさを向上することが可能になる。また、第１の透光性部材４５０Ｒ、射出側偏光板４４０Ｒ及びクロスダイクロイックプリズム５００の線膨張係数がそれぞれ異なる場合であっても、各部材間の貼り合わせ面における剥離が起こりにくくなり、長期信頼性の低下を抑制することが可能になる。なお、接着剤に替えて粘着剤を用いてもよい。他の射出側偏光板４４０Ｇ，４４０Ｂの周辺部分も、射出側偏光板４４０Ｒの周辺部分と同様に構成されている。
射出側偏光板４４０Ｒ，４４０Ｇ，４４０Ｂの周囲には、接着層Ｃが形成されている。
【００８１】
これらの入射側偏光板４２０Ｒ，４２０Ｇ，４２０Ｂ及び射出側偏光板４４０Ｒ，４４０Ｇ，４４０Ｂは、互いの偏光軸の方向が直交するように設定・配置されている。
【００８２】
クロスダイクロイックプリズム５００は、各射出側偏光板４４０Ｒ，４４０Ｇ，４４０Ｂから射出された各色光ごとに変調された光学像を合成して、カラー画像を形成する光学素子である。クロスダイクロイックプリズム５００は、図２（ａ）に示すように、液晶装置４１０Ｒ，４１０Ｇ，４１０Ｂで変調された色光をそれぞれ入射する３つの光入射端面と、合成された色光を射出する光射出端面とを有している。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００は、熱伝導性のスペーサ１２（図２（ｂ）参照。）を介して筐体１０に配設されている。
【００８３】
クロスダイクロイックプリズム５００から射出されたカラー画像は、投写光学系６００によって拡大投写され、スクリーンＳＣＲ上で大画面画像を形成する。
【００８４】
なお、ここでは図示を省略したが、プロジェクタ１０００内には、各光学系などを冷却するための少なくとも１つのファン及び複数の冷却風流路が設けられている。プロジェクタ１０００外部から取り込まれた空気は、これらファン及び複数の冷却風流路によってプロジェクタ１０００内を循環し、外部へと排出される。図２に示すように、筐体１０に設けられた通風孔（冷却風流路）から流れ込む空気が、光学装置５１０からの放熱を促進させる。
これにより、プロジェクタ１０００の各光学系（光学装置５１０の各部材）の熱を効率的に除去することができる。
【００８５】
このように構成された実施形態１に係るプロジェクタ１０００について説明するにあたり、以下では説明を簡略化するため、３つの各色光の光路のうち赤色光の光路に配置された部材の構成をもとにして、実施形態１に係るプロジェクタ１０００をさらに詳細に説明する。
【００８６】
実施形態１に係るプロジェクタ１０００においては、図２に示すように、液晶装置４１０Ｒとクロスダイクロイックプリズム５００との間に第１の透光性部材４５０Ｒと射出側偏光板４４０Ｒとが配設され、射出側偏光板４４０Ｒにおける光入射側の面に第１の透光性部材４５０Ｒが接着されているとともに、射出側偏光板４４０Ｒにおける光射出側の面がクロスダイクロイックプリズム５００における光入射端面に接着されている。
【００８７】
このため、射出側偏光板４４０Ｒで発生した熱を射出側偏光板４４０Ｒの両面から第１の透光性部材４５０Ｒ及びクロスダイクロイックプリズム５００に伝達することができるようになるため、射出側偏光板４４０Ｒの温度上昇を抑制することが可能になる。また、射出側偏光板４４０Ｒは外気に触れることがなくなるため、外気からの水分の浸入が抑制されるようになる。このため、射出側偏光板４４０Ｒの温度上昇及び外気からの水分の浸入に起因して射出側偏光板４４０Ｒの支持層が膨張・変形してしまうことを抑制することが可能となり、支持層における分子配向の乱れの発生を抑制することが可能になる。その結果、射出側偏光板としての偏光特性が低下して射出側偏光板４４０Ｒを通過する光束の品質低下を抑制することが可能になる。
【００８８】
従って、実施形態１に係るプロジェクタ１０００は、射出側偏光板の温度上昇に起因して投写画像の画像品質が低下してしまうことが従来よりも抑制されたプロジェクタとなる。
【００８９】
また、実施形態１に係るプロジェクタ１０００においては、射出側偏光板４４０Ｒは、熱容量が比較的大きなクロスダイクロイックプリズム５００に接着されているため、射出側偏光板４４０Ｒの温度上昇を抑制し、プロジェクタの放熱性能を高めることができる。さらに、クロスダイクロイックプリズム５００を熱伝導性のスペーサ１２を介して筐体１０に接続しているため、熱容量をさらに大きくすることができ、プロジェクタの放熱性能をさらに高めることができる。
【００９０】
実施形態１に係るプロジェクタ１０００においては、射出側偏光板４４０Ｒは、図３（ａ）に示すように、偏光層４０の光射出側にのみ、偏光層４０を支持する支持層４２を有している。
【００９１】
これにより、光入射側の支持層における分子配向の乱れの発生が存在しなくなる。つまり、支持層における熱歪による複屈折が、偏光層４０と液晶装置４１０Ｒとの間に存在しないので、液晶装置４１０Ｒによって変調された光がそのままの状態で偏光層４０に到達することとなる。このため、射出側偏光板４４０Ｒの温度上昇に起因して射出側偏光板としての偏光特性が大きく低下して投写画像の画像品質を大きく低下させてしまうことがなくなる。なお、この場合、仮に温度上昇に起因して光射出側の支持層４２における偏光特性が若干低下したとしても、その偏光特性の低下は偏光層４０で検光されてしまうことはないため、投写画像の画像品質を大きく低下させてしまうことはない。
【００９２】
なお、実施形態１に係るプロジェクタ１０００においては、上記したように射出側偏光板４４０Ｒにおける光入射側の面に第１の透光性部材４５０Ｒが接着されているとともに、射出側偏光板４４０Ｒにおける光射出側の面がクロスダイクロイックプリズム５００における光入射端面に接着されているため、射出側偏光板４４０Ｒが、偏光層４０の光射出側にのみ支持層４２を有する構造であったとしても、所定の機械的強度を得ることができる。
【００９３】
実施形態１に係るプロジェクタ１０００においては、図２に示すように、集光レンズ３００Ｒと液晶装置４１０Ｒとの間に入射側偏光板４２０Ｒと第２の透光性部材４３０Ｒとが配設され、入射側偏光板４２０Ｒにおける光射出側の面に第２の透光性部材４３０Ｒが接着されているとともに、入射側偏光板４２０Ｒにおける光入射側の面が集光レンズ３００Ｒにおける光射出側の面に接着されている。
【００９４】
これにより、入射側偏光板４２０Ｒで発生した熱を入射側偏光板４２０Ｒの両面から第２の透光性部材４３０Ｒ及び集光レンズ３００Ｒに伝達することができるようになるため、入射側偏光板４２０Ｒの温度上昇を抑制することが可能になる。また、入射側偏光板４２０Ｒは外気に触れることがなくなるため、外気からの水分の浸入が抑制されるようになる。このため、入射側偏光板４２０Ｒの温度上昇及び外気からの水分の浸入に起因して入射側偏光板４２０Ｒの支持層が膨張・変形してしまうことを抑制することが可能となり、支持層における分子配向の乱れの発生を抑制することが可能になる。その結果、入射側偏光板としての偏光特性が低下して入射側偏光板４２０Ｒを通過する光束の品質低下を抑制することが可能になる。
【００９５】
このため、実施形態１に係るプロジェクタ１０００は、入射側偏光板及び射出側偏光板の温度上昇に起因して投写画像の画像品質が低下してしまうことが従来よりもさらに抑制されたプロジェクタとなる。
【００９６】
また、実施形態１に係るプロジェクタ１０００においては、入射側偏光板４２０Ｒは、熱容量が比較的大きな集光レンズ３００Ｒに接着されているため、入射側偏光板４２０Ｒの温度上昇を抑制し、プロジェクタの放熱性能を高めることができる。さらに、集光レンズ３００Ｒを熱伝導性の保持部材を介して筐体１０に接続しているため、熱容量をさらに大きくすることができ、プロジェクタの放熱性能をさらに高めることができる。
【００９７】
実施形態１に係るプロジェクタ１０００においては、入射側偏光板４２０Ｒは、図３（ｂ）に示すように、偏光層２０の光入射側にのみ、偏光層２０を支持する支持層２２を有している。
【００９８】
これにより、光射出側の支持層における分子配向の乱れの発生が存在しなくなる。つまり、支持層における熱歪による複屈折が、偏光層２０と液晶装置４１０Ｒとの間に存在しないので、偏光層２０で所定の方向に軸を有する直線偏光に揃えられた光がそのままの状態で液晶装置４１０Ｒに到達することとなる。このため、入射側偏光板の温度上昇に起因して入射側偏光板としての偏光特性が大きく低下して投写画像の画像品質を大きく低下させてしまうことがなくなる。なお、この場合、仮に温度上昇に起因して光入射側の支持層２２における偏光特性が若干低下したとしても、その偏光特性の低下は入射側偏光板４２０Ｒの偏光層２０で補償され、射出側偏光板４４０Ｒの偏光層４０で誤って検光されてしまうことはないため、投写画像の画像品質を大きく低下させてしまうことはない。
【００９９】
なお、実施形態１に係るプロジェクタ１０００においては、上記したように入射側偏光板４２０Ｒにおける光射出側の面に第２の透光性部材４３０Ｒが接着されているとともに、入射側偏光板４２０Ｒにおける光入射側の面が集光レンズ３００Ｒにおける光射出側の面に接着されているため、入射側偏光板４２０Ｒが、偏光層２０の光入射側にのみ支持層２２を有する構造であったとしても、所定の機械的強度を得ることができる。
【０１００】
実施形態１に係るプロジェクタ１０００においては、第１の透光性部材４５０Ｒは、サファイアからなる透光性基板である。
【０１０１】
サファイアからなる透光性基板は熱伝導性に非常に優れているため、射出側偏光板４４０Ｒで発生した熱を効率よく系外に放散させることができ、射出側偏光板４４０Ｒの温度上昇に起因した偏光特性の劣化をさらに抑制することができる。
【０１０２】
実施形態１に係るプロジェクタ１０００においては、第１の透光性部材４５０Ｒの光学軸が偏光層４０の偏光軸に略平行又は略垂直となるように、射出側偏光板４４０Ｒに対して第１の透光性部材４５０Ｒが配置されている。
【０１０３】
第１の透光性部材４５０Ｒとして、サファイアからなる透光性基板を用いた場合においても、上記のように構成することにより、第１の透光性部材４５０Ｒを通過する光の偏光状態が変化しなくなる。また、第１の透光性部材４５０Ｒにおける熱膨張が大きな軸方向と射出側偏光板４４０Ｒの延伸方向とを揃えることにより、射出側偏光板４４０Ｒの熱変形を抑制することができる。
【０１０４】
実施形態１に係るプロジェクタ１０００においては、第２の透光性部材４３０Ｒは、サファイアからなる透光性基板である。
【０１０５】
サファイアからなる透光性基板は熱伝導性に非常に優れているため、入射側偏光板４２０Ｒで発生した熱を効率よく系外に放散させることができ、入射側偏光板４２０Ｒの温度上昇に起因した偏光特性の劣化をさらに抑制することができる。
【０１０６】
実施形態１に係るプロジェクタ１０００においては、第２の透光性部材４３０Ｒの光学軸が偏光層２０の偏光軸に略平行又は略垂直となるように、入射側偏光板４２０Ｒに対して第２の透光性部材４３０Ｒが配置されている。
【０１０７】
第２の透光性部材４３０Ｒとして、サファイアからなる透光性基板を用いた場合においても、上記のように構成することにより、第２の透光性部材４３０Ｒを通過する光の偏光状態が変化しなくなる。また、第２の透光性部材４３０Ｒにおける熱膨張が大きな軸方向と入射側偏光板４２０Ｒの延伸方向とを揃えることにより、入射側偏光板４２０Ｒの熱変形を抑制することができる。
【０１０８】
実施形態１に係るプロジェクタ１０００においては、第１の透光性部材４５０Ｒと筐体１０との間で熱を伝達する熱伝導部材１４をさらに備えている（図３（ａ）参照。）。
【０１０９】
これにより、射出側偏光板４４０Ｒで発生した熱は、第１の透光性部材４５０Ｒ及び熱伝導部材１４を介して筐体１０に放散されるようになるため、プロジェクタの放熱性能を高めることができる。
【０１１０】
実施形態１に係るプロジェクタ１０００においては、第２の透光性部材４３０Ｒと筐体１０との間で熱を伝達する熱伝導部材１６をさらに備えている（図３（ｂ）参照。）。
【０１１１】
これにより、入射側偏光板４２０Ｒで発生した熱も、第２の透光性部材４３０Ｒ及び熱伝導部材１６を介して筐体１０に放散されるようになるため、プロジェクタの放熱性能をさらに高めることができる。
【０１１２】
熱伝導性部材１４，１６の材料としては、例えばアルミニウムやアルミニウム合金などの金属を好ましく用いることができる。
【０１１３】
実施形態１に係るプロジェクタ１０００においては、第１の透光性部材４５０Ｒ及び第２の透光性部材４３０Ｒを冷却する冷却風流路が設けられている。
【０１１４】
これにより、冷却風流路からの冷却風によって第１の透光性部材４５０Ｒ及び第２の透光性部材４３０Ｒを冷却することができるため、第１の透光性部材４５０Ｒ及び第２の透光性部材４３０Ｒの温度上昇を抑制し、射出側偏光板４４０Ｒ及び入射側偏光板４２０Ｒで発生した熱を効率的に除去することができる。
【０１１５】
実施形態１に係るプロジェクタ１０００は、入射側偏光板４２０Ｒ（４２０Ｇ，４２０Ｂ）及び射出側偏光板４４０Ｒ（４４０Ｇ，４４０Ｂ）の劣化を抑制することができるため、長寿命のプロジェクタとなる。
【０１１６】
なお、実施形態１に係る光学装置５１０は、実施形態１に係るプロジェクタ１０００の構成の一部分であり、実施形態１に係る光学装置５１０が有する効果は実施形態１に係るプロジェクタ１０００が有する効果と重複するため、実施形態１に係る光学装置５１０の効果に関する説明は省略する。
【０１１７】
ここで、実施形態１に係る光学装置５１０においては、射出側偏光板４４０Ｒは、偏光層４０の光射出側にのみ支持層４２を有する偏光板であり、入射側偏光板４２０Ｒは、偏光層２０の光入射側にのみ支持層２２を有する偏光板であったが、本発明はこれに限定されるものではなく、例えば次のような変形も可能である。
【０１１８】
図４は、実施形態１の変形例に係る光学装置５１２を説明するために示す図である。図４（ａ）は光学装置５１２を上面から見た図であり、図４（ｂ）は図４（ａ）のＢ−Ｂ断面図である。なお、図４において、図２と同一の部材については同一の符号を付し、詳細な説明は省略する。
【０１１９】
変形例に係る光学装置５１２においては、図４（ａ）及び図４（ｂ）に示すように、射出側偏光板４４２Ｒは、光入射側の支持層だけではなく光射出側の支持層も省略された構造を有する偏光板であり、入射側偏光板４２２Ｒは、光射出側の支持層だけではなく光入射側の支持層も省略された構造を有する偏光板である。
なお、赤色光の光路に配置された入射側偏光板４２２Ｒ及び射出側偏光板４４２Ｒに限らず、緑色光の光路に配置された入射側偏光板４２２Ｇ及び射出側偏光板４４２Ｇ並びに青色光の光路に配置された入射側偏光板４２２Ｂ及び射出側偏光板４４２Ｂも同様に、上記のような構造を有する偏光板である。
【０１２０】
このように、変形例に係る光学装置５１２は、実施形態１に係る光学装置５１０の場合とは、各入射側偏光板及び各射出側偏光板として用いる偏光板の構造が異なるが、実施形態１に係る光学装置５１０の場合と同様に、射出側偏光板４４２Ｒの偏光層４０における光入射側の表面に第１の透光性部材４５０Ｒが接着され、射出側偏光板４４２Ｒの偏光層４０における光射出側の表面がクロスダイクロイックプリズム５００における光入射端面に接着されているとともに、入射側偏光板４２２Ｒの偏光層２０における光射出側の表面に第２の透光性部材４３０Ｒが接着され、入射側偏光板４２２Ｒの偏光層２０における光入射側の表面が集光レンズ３００Ｒにおける光射出側の面に接着されているため、入射側偏光板及び射出側偏光板の温度上昇に起因して投写画像の画像品質が低下してしまうことが従来よりもさらに抑制されたプロジェクタとなる。
【０１２１】
［実施形態２］
図５は、実施形態２に係る光学装置５１４を説明するために示す図である。図５（ａ）は光学装置５１４を上面から見た図であり、図５（ｂ）は図５（ａ）のＡ−Ａ断面図である。図６は偏光分離光学素子４６０Ｒ周辺部分を側面から見た図である。なお、図５において、図２と同一の部材については同一の符号を付し、詳細な説明は省略する。
【０１２２】
実施形態２に係る光学装置５１４は、基本的には実施形態１に係る光学装置５１０とよく似た構成を有しているが、図５及び図６に示すように、実施形態１に係る光学装置５１０とは、射出側偏光板の光入射側に接着されている部材が異なっている。
すなわち、実施形態１に係る光学装置５１０においては、射出側偏光板４４０Ｒ，４４０Ｇ，４４０Ｂにおける光入射側の面には、第１の透光性部材４５０Ｒ，４５０Ｇ，４５０Ｂがそれぞれ接着されているのに対し、実施形態２に係る光学装置５１４においては、射出側偏光板４４０Ｒ，４４０Ｇ，４４０Ｂにおける光入射側の面には、液晶装置４１０Ｒ，４１０Ｇ，４１０Ｂから射出された光のうち所定の方向に軸を有する直線偏光のみを透過しその他の光を反射する偏光分離光学素子４６０Ｒ，４６０Ｇ，４６０Ｂが接着されている。
【０１２３】
実施形態２に係る光学装置５１４における偏光分離光学素子４６０Ｒ，４６０Ｇ，４６０Ｂ等について説明するにあたり、以下では説明を簡略化するため、３つの各色光の光路のうち赤色光の光路に配置された部材の構成をもとにして詳細に説明する。
【０１２４】
偏光分離光学素子４６０Ｒは、図６に示すように、二軸方向性の有るフィルムを複数枚積層してＸＹ型の偏光特性を持たせたＸＹ型偏光フィルム４６２Ｒを２個のガラスプリズム４６４Ｒ，４６６Ｒで挟み込んだ構造を有している。偏光分離光学素子４６０Ｒにおける光入射面とＸＹ型偏光フィルム４６２Ｒとのなす角度は、例えば３０度に設定されている。偏光分離光学素子４６０Ｒの光入射側（液晶装置側）の面には、図示しない反射防止層が形成されている。
【０１２５】
偏光分離光学素子４６０Ｒにおいて、液晶装置４１０Ｒで変調された偏光光のうちＸＹ型偏光フィルム４６２Ｒで反射された偏光光は、偏光分離光学素子４６０Ｒの側面からそのまま射出されるか、一旦偏光分離光学素子４６０Ｒの光入射面で反射されてから偏光分離光学素子４６０Ｒの側面から射出されることになる。この場合、偏光分離光学素子４６０Ｒの光入射面においては全反射されることになるため、迷光レベルを低減することもできる。
【０１２６】
偏光分離光学素子４６０Ｒの上方には、ＸＹ型偏光フィルム４６２Ｒで反射されて偏光分離光学素子４６０Ｒから射出される偏光光を吸収するための光吸収手段４６８Ｒが配設されている。これにより、光吸収手段４６８Ｒが、ＸＹ型偏光フィルム４６２Ｒで反射されて系外に逃がされた光を効果的に捕捉するため、プロジェクタにおける迷光の発生を抑制することが可能になり、投写画像の画像品質をさらに向上することができるようになる。また、光吸収手段４６８Ｒが偏光分離光学素子４６０Ｒの上方に配設されているため、光吸収手段４６８Ｒで発生した熱は対流によって光学系の上方に逃がされることになり、光学系に与える熱の影響を最小限のものにすることができる。
【０１２７】
このように、実施形態２に係る光学装置５１４は、実施形態１に係る光学装置５１０の場合とは、射出側偏光板の光入射側に接着されている部材が異なるが、実施形態１に係る光学装置５１０の場合と同様に、射出側偏光板４４０Ｒにおける光入射側の面に偏光分離光学素子４６０Ｒが接着されているとともに、射出側偏光板４４０Ｒにおける光射出側の面がクロスダイクロイックプリズム５００における光入射端面に接着されているため、射出側偏光板の温度上昇に起因して投写画像の画像品質が低下してしまうことが従来よりも抑制されたプロジェクタとなる。
【０１２８】
実施形態２に係る光学装置５１４においては、液晶装置４１０Ｒから射出された光のうち所定の方向に軸を有する直線偏光は、偏光分離光学素子４６０Ｒを透過して投写光学系６００（図示せず。）で投写されてスクリーンＳＣＲ（図示せず。）に投写されることとなる一方、その他の光、すなわち投写光学系６００への進行を禁止されるべき光（射出側偏光板４４０Ｒの偏光層４０を透過しない偏光成分）は、偏光分離光学素子４６０Ｒで反射されて系外に逃がされる。このため、射出側偏光板４４０Ｒに入射する光のうち射出側偏光板４４０Ｒの偏光層４０を透過しない偏光成分の光は、前段としての偏光分離光学素子４６０Ｒによってほとんど除去されているため、射出側偏光板４４０Ｒにおける発熱そのものが効果的に抑制され、射出側偏光板４４０Ｒの温度上昇をさらに効果的に抑制することが可能になる。
また、偏光分離光学素子４６０ＲのＸＹ型偏光フィルム４６２Ｒは、反射型偏光板であり、照明光軸１００ａｘ（図示せず。）に対して傾いて構成されているので、検光子としての特性にやや劣るところがある。しかし、偏光分離光学素子４６０Ｒで画像には不要となる光を取り除けなかった分を、射出側偏光板４４０Ｒによって確実に遮断することができるので、良好な画像を得ることが可能となる。
つまり、検光子としての作用及び熱の発生を偏光分離光学素子４６０Ｒと射出側偏光板４４０Ｒとで分担することによって、装置の信頼性を向上させることが可能となる。
【０１２９】
なお、実施形態２に係る光学装置５１４は、射出側偏光板の光入射側に接着されている部材が異なる点以外の点では、実施形態１に係る光学装置５１０と同様の構成を有するため、実施形態１に係る光学装置５１０の場合と同様の効果を有する。
【０１３０】
［実施形態３］
図７は、実施形態３に係るプロジェクタ１００６を説明するために示す図である。図７（ａ）は光学装置５１６を上面から見た図であり、図７（ｂ）は図７（ａ）のＡ−Ａ断面図である。なお、図７において、図２と同一の部材については同一の符号を付し、詳細な説明は省略する。
【０１３１】
実施形態３に係るプロジェクタ１００６は、ここでは図示を省略するが、実施形態１に係るプロジェクタ１０００と同様に、照明装置１００と、照明装置１００からの照明光束を赤色光、緑色光及び青色光の３つの色光に分離して被照明領域に導光する色分離導光光学系２００と、光学装置５１６と、光学装置５１６におけるクロスダイクロイックプリズム５００によって合成された光をスクリーンＳＣＲ等の投写面に投写する投写光学系６００とを備えたプロジェクタである。なお、照明装置１００、色分離導光光学系２００及び投写光学系６００は、実施形態１で説明したものと同じであるため、詳細な説明は省略する。
【０１３２】
光学装置５１６は、色分離導光光学系２００で分離された３つの色光のそれぞれを画像情報に応じて変調する３つの液晶装置４１０Ｒ，４１０Ｇ，４１０Ｂと、３つの液晶装置４１０Ｒ，４１０Ｇ，４１０Ｂで変調されたそれぞれの色光を合成するクロスダイクロイックプリズム５００と、３つの液晶装置４１０Ｒ，４１０Ｇ，４１０Ｂのそれぞれの光入射側に配置される３つの集光レンズ３００Ｒ，３００Ｇ，３００Ｂと、３つの液晶装置４１０Ｒ，４１０Ｇ，４１０Ｂのそれぞれの光入射側に配置される３つの入射側偏光板４２０Ｒ，４２０Ｇ，４２０Ｂと、３つの入射側偏光板４２０Ｒ，４２０Ｇ，４２０Ｂの光射出側の面に接着される３つの液晶装置側透光性部材４３２Ｒ，４３２Ｇ，４３２Ｂと、３つの液晶装置４１０Ｒ，４１０Ｇ，４１０Ｂのそれぞれの光射出側に配置される３つの射出側偏光板４４０Ｒ，４４０Ｇ，４４０Ｂと、３つの射出側偏光板４４０Ｒ，４４０Ｇ，４４０Ｂにおける光入射側の面にそれぞれ接着される３つの液晶装置側透光性部材４５２Ｒ，４５２Ｇ，４５２Ｂとを有している。
【０１３３】
実施形態３に係るプロジェクタ１００６においては、入射側偏光板４２０Ｒにおける支持層２２は、偏光層２０における液晶装置４１０Ｒとは反対側（光入射側）に配置されており、射出側偏光板４４０Ｒにおける支持層４２は、偏光層４０における液晶装置４１０Ｒとは反対側（光射出側）に配置されている。
【０１３４】
このため、液晶装置側の支持層における分子配向の乱れの発生が存在しなくなる。つまり、支持層における熱歪による複屈折が、偏光層２０と液晶装置４１０Ｒとの間及び偏光層４０と液晶装置４１０Ｒとの間に存在しないので、入射側偏光板及び射出側偏光板の温度上昇に起因して偏光板としての偏光特性が大きく低下して投写画像の画像品質を大きく低下させてしまうことがなくなる。
なお、この場合、仮に温度上昇に起因して射出側偏光板４４０Ｒの支持層４２において偏光特性が若干低下したとしても、その偏光特性の低下は射出側偏光板４４０Ｒの偏光層４０で検光されてしまうことはないため、投写画像の画像品質を大きく低下させてしまうことはない。また、仮に温度上昇に起因して入射側偏光板４２０Ｒの支持層２２において偏光特性が若干低下したとしてもその偏光特性の低下は入射側偏光板４２０Ｒの偏光層２０で補償され、射出側偏光板４４０Ｒの偏光層４０で誤って検光されてしまうことはないため、投写画像の画像品質を大きく低下させてしまうことはない。
【０１３５】
実施形態３に係るプロジェクタ１００６においては、入射側偏光板４２０Ｒ，４２０Ｇ，４２０Ｂにおける液晶装置側の面には液晶装置側透光性部材４３２Ｒ，４３２Ｇ，４３２Ｂがそれぞれ接着されているため、入射側偏光板４２０Ｒ，４２０Ｇ，４２０Ｂで発生した熱を液晶装置側透光性部材４３２Ｒ，４３２Ｇ，４３２Ｂに伝達することが可能になり、入射側偏光板４２０Ｒ，４２０Ｇ，４２０Ｂの温度上昇を抑制することが可能になる。
【０１３６】
実施形態３に係るプロジェクタ１００６においては、射出側偏光板４４０Ｒ，４４０Ｇ，４４０Ｂにおける液晶装置側の面には液晶装置側透光性部材４５２Ｒ，４５２Ｇ，４５２Ｂがそれぞれ接着されているため、射出側偏光板４４０Ｒ，４４０Ｇ，４４０Ｂで発生した熱を液晶装置側透光性部材４５２Ｒ，４５２Ｇ，４５２Ｂに伝達することが可能になり、射出側偏光板４４０Ｒ，４４０Ｇ，４４０Ｂの温度上昇を抑制することが可能になる。
【０１３７】
実施形態３に係るプロジェクタ１００６においては、液晶装置側透光性部材４３２Ｒ，４３２Ｇ，４３２Ｂ，４５２Ｒ，４５２Ｇ，４５２Ｂは、サファイアからなる透光性基板である。
【０１３８】
サファイアからなる透光性基板は熱伝導性に非常に優れているため、入射側偏光板４２０Ｒ，４２０Ｇ，４２０Ｂ及び射出側偏光板４４０Ｒ，４４０Ｇ，４４０Ｂで発生した熱を効率よく系外に放散させることができ、入射側偏光板４２０Ｒ，４２０Ｇ，４２０Ｂ及び射出側偏光板４４０Ｒ，４４０Ｇ，４４０Ｂの温度上昇を効果的に抑制することが可能となる。
【０１３９】
実施形態３に係るプロジェクタ１００６においては、液晶装置側透光性部材４３２Ｒ，４３２Ｇ，４３２Ｂの光学軸が偏光層２０の偏光軸に略平行又は略垂直となるように、入射側偏光板４２０Ｒ，４２０Ｇ，４２０Ｂに対して液晶装置側透光性部材４３２Ｒ，４３２Ｇ，４３２Ｂが配置されている。また、液晶装置側透光性部材４５２Ｒ，４５２Ｇ，４５２Ｂの光学軸が偏光層４０の偏光軸に略平行又は略垂直となるように、射出側偏光板４４０Ｒ，４４０Ｇ，４４０Ｂに対して液晶装置側透光性部材４５２Ｒ，４５２Ｇ，４５２Ｂが配置されている。
【０１４０】
液晶装置側透光性部材４３２Ｒ，４３２Ｇ，４３２Ｂ，４５２Ｒ，４５２Ｇ，４５２Ｂとして、サファイアからなる透光性基板を用いた場合においても、上記のように構成することにより、液晶装置側透光性部材４３２Ｒ，４３２Ｇ，４３２Ｂ，４５２Ｒ，４５２Ｇ，４５２Ｂを通過する光の偏光状態が変化しなくなる。
【０１４１】
また、液晶装置側透光性部材４３２Ｒ，４３２Ｇ，４３２Ｂ，４５２Ｒ，４５２Ｇ，４５２Ｂにおける熱膨張が大きな軸方向と入射側偏光板４２０Ｒ，４２０Ｇ，４２０Ｂ又は射出側偏光板４４０Ｒ，４４０Ｇ，４４０Ｂの延伸方向とを揃えることにより、入射側偏光板４２０Ｒ，４２０Ｇ，４２０Ｂ又は射出側偏光板４４０Ｒ，４４０Ｇ，４４０Ｂの熱変形を抑制することができる。
【０１４２】
実施形態３に係るプロジェクタ１００６は、入射側偏光板４２０Ｒ，４２０Ｇ，４２０Ｂ及び射出側偏光板４４０Ｒ，４４０Ｇ，４４０Ｂの劣化を抑制することができるため、長寿命のプロジェクタとなる。
【０１４３】
なお、実施形態３に係るプロジェクタ１００６においては、液晶装置側透光性部材４５２Ｒ，４５２Ｇ，４５２Ｂとして、サファイアからなる透光性基板を用いたが、本発明はこれに限定されるものではなく、実施形態２で説明したような偏光分離光学素子を用いてもよい。この場合、実施形態２で説明した偏光分離光学素子による効果と同様の効果を得ることが可能となる。
【０１４４】
［実施形態４］
図８は、実施形態４に係るプロジェクタ１００８を説明するために示す図である。図８（ａ）は光学装置５１８を上面から見た図であり、図８（ｂ）は図８（ａ）のＡ−Ａ断面図である。なお、図８において、図７と同一の部材については同一の符号を付し、詳細な説明は省略する。
【０１４５】
実施形態４に係るプロジェクタ１００８（図示せず。）は、実施形態３に係るプロジェクタ１００６と基本的に同様の構成を有しているが、反対側透光性部材をさらに備える点で、実施形態３に係るプロジェクタ１００６の場合と異なっている。
【０１４６】
すなわち、実施形態４に係るプロジェクタ１００８においては、図８に示すように、入射側偏光板４２０Ｒ，４２０Ｇ，４２０Ｂにおける液晶装置側の面とは反対側の面（光入射面）には反対側透光性部材４７０Ｒ，４７０Ｇ，４７０Ｂがそれぞれ接着され、射出側偏光板４４０Ｒ，４４０Ｇ，４４０Ｂにおける液晶装置側の面とは反対側の面（光射出面）には反対側透光性部材４８０Ｒ，４８０Ｇ，４８０Ｂがそれぞれ接着されている。
【０１４７】
このように、実施形態４に係るプロジェクタ１００８は、実施形態３に係るプロジェクタ１００６の場合とは、反対側透光性部材をさらに備える点で異なっているが、実施形態３に係るプロジェクタ１００６の場合と同様に、入射側偏光板４２０Ｒにおける支持層２２は、偏光層２０における液晶装置４１０Ｒとは反対側（光入射側）に配置されており、射出側偏光板４４０Ｒにおける支持層４２は、偏光層４０における液晶装置４１０Ｒとは反対側（光射出側）に配置されている。このため、液晶装置側の支持層における分子配向の乱れの発生が存在しなくなる。つまり、支持層における熱歪による複屈折が、偏光層２０と液晶装置４１０Ｒとの間及び偏光層４０と液晶装置４１０Ｒとの間に存在しないので、入射側偏光板及び射出側偏光板の温度上昇に起因して偏光板としての偏光特性が大きく低下して投写画像の画像品質を大きく低下させてしまうことがなくなる。
【０１４８】
実施形態４に係るプロジェクタ１００８においては、入射側偏光板４２０Ｒ，４２０Ｇ，４２０Ｂにおける光入射面には反対側透光性部材４７０Ｒ，４７０Ｇ，４７０Ｂがそれぞれ接着されているため、入射側偏光板４２０Ｒ，４２０Ｇ，４２０Ｂで発生した熱を反対側透光性部材４７０Ｒ，４７０Ｇ，４７０Ｂに伝達することが可能になり、入射側偏光板４２０Ｒ，４２０Ｇ，４２０Ｂの温度上昇を抑制することが可能になる。
【０１４９】
また、入射側偏光板４２０Ｒ，４２０Ｇ，４２０Ｂにおける支持層２２が外部に露出しないようになるため、入射側偏光板４２０Ｒ，４２０Ｇ，４２０Ｂの温度上昇及び外気からの水分の浸入に起因して支持層２２が膨張・変形してしまうのを抑制することが可能となる。このため、支持層２２における分子の乱れの発生を抑制することができ、結果として投写画像の画像品質の低下を抑制することが可能となる。
【０１５０】
さらにまた、入射側偏光板４２０Ｒ，４２０Ｇ，４２０Ｂが反対側透光性部材４７０Ｒ，４７０Ｇ，４７０Ｂに接着されているため、各入射側偏光板４２０Ｒ，４２０Ｇ，４２０Ｂが偏光層２０及び１つの支持層２２からなる２層構造の偏光板であったとしても、所定の機械的強度を得ることができる。この場合、入射側偏光板４２０Ｒ，４２０Ｇ，４２０Ｂを液晶装置側透光性部材４３２Ｒ，４３２Ｇ，４３２Ｂ及び反対側透光性部材４７０Ｒ，４７０Ｇ，４７０Ｂによって両面から挟んだ構造となるため、機械的強度をさらに高めることが可能となる。
【０１５１】
実施形態４に係るプロジェクタ１００８においては、射出側偏光板４４０Ｒ，４４０Ｇ，４４０Ｂにおける光射出面には反対側透光性部材４８０Ｒ，４８０Ｇ，４８０Ｂがそれぞれ接着されているため、射出側偏光板４４０Ｒ，４４０Ｇ，４４０Ｂで発生した熱を反対側透光性部材４８０Ｒ，４８０Ｇ，４８０Ｂに伝達することが可能になり、射出側偏光板４４０Ｒ，４４０Ｇ，４４０Ｂの温度上昇を抑制することが可能になる。
【０１５２】
また、射出側偏光板４４０Ｒ，４４０Ｇ，４４０Ｂにおける支持層４２が外部に露出しないようになるため、射出側偏光板４４０Ｒ，４４０Ｇ，４４０Ｂの温度上昇及び外気からの水分の浸入に起因して支持層４２が膨張・変形してしまうのを抑制することが可能となる。このため、支持層４２における分子の乱れの発生を抑制することができ、結果として投写画像の画像品質の低下を抑制することが可能となる。
【０１５３】
さらにまた、射出側偏光板４４０Ｒ，４４０Ｇ，４４０Ｂが反対側透光性部材４８０Ｒ，４８０Ｇ，４８０Ｂに接着されているため、各射出側偏光板４４０Ｒ，４４０Ｇ，４４０Ｂが偏光層４０及び１つの支持層４２からなる２層構造の偏光板であったとしても、所定の機械的強度を得ることができる。この場合、射出側偏光板４４０Ｒ，４４０Ｇ，４４０Ｂを液晶装置側透光性部材４５２Ｒ，４５２Ｇ，４５２Ｂ及び反対側透光性部材４８０Ｒ，４８０Ｇ，４８０Ｂによって両面から挟んだ構造となるため、機械的強度をさらに高めることが可能となる。
【０１５４】
実施形態４に係るプロジェクタ１００８においては、反対側透光性部材４７０Ｒ，４７０Ｇ，４７０Ｂ，４８０Ｒ，４８０Ｇ，４８０Ｂは、サファイアからなる透光性基板である。
【０１５５】
サファイアからなる透光性基板は熱伝導性に非常に優れているため、入射側偏光板４２０Ｒ，４２０Ｇ，４２０Ｂ及び射出側偏光板４４０Ｒ，４４０Ｇ，４４０Ｂで発生した熱を効率よく系外に放散させることができ、入射側偏光板４２０Ｒ，４２０Ｇ，４２０Ｂ及び射出側偏光板４４０Ｒ，４４０Ｇ，４４０Ｂの温度上昇を効果的に抑制することが可能となる。
【０１５６】
実施形態４に係るプロジェクタ１００８においては、反対側透光性部材４７０Ｒ，４７０Ｇ，４７０Ｂの光学軸が偏光層２０の偏光軸に略平行又は略垂直となるように、入射側偏光板４２０Ｒ，４２０Ｇ，４２０Ｂに対して反対側透光性部材４７０Ｒ，４７０Ｇ，４７０Ｂが配置されている。また、反対側透光性部材４８０Ｒ，４８０Ｇ，４８０Ｂの光学軸が偏光層４０の偏光軸に略平行又は略垂直となるように、射出側偏光板４４０Ｒ，４４０Ｇ，４４０Ｂに対して反対側透光性部材４８０Ｒ，４８０Ｇ，４８０Ｂが配置されている。
【０１５７】
反対側透光性部材４７０Ｒ，４７０Ｇ，４７０Ｂ，４８０Ｒ，４８０Ｇ，４８０Ｂとして、サファイアからなる透光性基板を用いた場合においても、上記のように構成することにより、反対側透光性部材４７０Ｒ，４７０Ｇ，４７０Ｂ，４８０Ｒ，４８０Ｇ，４８０Ｂを通過する光の偏光状態が変化しなくなる。
【０１５８】
また、反対側透光性部材４７０Ｒ，４７０Ｇ，４７０Ｂ，４８０Ｒ，４８０Ｇ，４８０Ｂにおける熱膨張が大きな軸方向と入射側偏光板４２０Ｒ，４２０Ｇ，４２０Ｂ又は射出側偏光板４４０Ｒ，４４０Ｇ，４４０Ｂの延伸方向とを揃えることにより、入射側偏光板４２０Ｒ，４２０Ｇ，４２０Ｂ又は射出側偏光板４４０Ｒ，４４０Ｇ，４４０Ｂの熱変形を抑制することができる。
【０１５９】
実施形態４に係るプロジェクタ１００８は、入射側偏光板４２０Ｒ，４２０Ｇ，４２０Ｂ及び射出側偏光板４４０Ｒ，４４０Ｇ，４４０Ｂの劣化を抑制することができるため、長寿命のプロジェクタとなる。
【０１６０】
実施形態４に係るプロジェクタ１００８は、反対側透光性部材をさらに備える点以外の点では、実施形態３に係るプロジェクタ１００６と同様の構成を有するため、実施形態３に係るプロジェクタ１００６の場合と同様の効果を有する。
【０１６１】
なお、実施形態４に係るプロジェクタ１００８において、入射側偏光板４２０Ｒ，４２０Ｇ，４２０Ｂにおける光射出面には液晶装置側透光性部材４３２Ｒ，４３２Ｇ，４３２Ｂがそれぞれ接着され、入射側偏光板４２０Ｒ，４２０Ｇ，４２０Ｂにおける光入射面には反対側透光性部材４７０Ｒ，４７０Ｇ，４７０Ｂがそれぞれ接着され、射出側偏光板４４０Ｒ，４４０Ｇ，４４０Ｂにおける光入射面には液晶装置側透光性部材４５２Ｒ，４５２Ｇ，４５２Ｂがそれぞれ接着され、射出側偏光板４４０Ｒ，４４０Ｇ，４４０Ｂにおける光射出面には反対側透光性部材４８０Ｒ，４８０Ｇ，４８０Ｂがそれぞれ接着されている構成を示したが、本発明はこれに限定されるものではなく、以下のような構成を採用することも可能である。
【０１６２】
例えば、実施形態４に係るプロジェクタ１００８において、射出側偏光板４４０Ｒ，４４０Ｇ，４４０Ｂの光入射面に接着された液晶装置側透光性部材４５２Ｒ，４５２Ｇ，４５２Ｂとしてサファイアからなる透光性基板を用いているが、これに替えて実施形態２で説明したような偏光分離光学素子を用いてもよい。この場合、液晶装置４１０Ｒ，４１０Ｇ，４１０Ｂから射出された光のうち所定の方向に軸を有する直線偏光は、偏光分離光学素子を透過して投写光学系６００（図示せず。）で投写されてスクリーンＳＣＲ（図示せず。）に投写されることとなる一方、その他の光、すなわち投写光学系６００への進行を禁止されるべき光（射出側偏光板４４０Ｒ，４４０Ｇ，４４０Ｂの偏光層４０を透過しない偏光成分）は、偏光分離光学素子で反射されて系外に逃がされる。このため、射出側偏光板４４０Ｒ，４４０Ｇ，４４０Ｂに入射する光のうち偏光層４０を透過しない偏光成分の光は、前段としての偏光分離光学素子によってほとんど除去されているため、射出側偏光板４４０Ｒ，４４０Ｇ，４４０Ｂにおける発熱そのものが効果的に抑制され、射出側偏光板４４０Ｒ，４４０Ｇ，４４０Ｂの温度上昇をさらに効果的に抑制することが可能になる。
【０１６３】
また、実施形態４に係るプロジェクタ１００８において、入射側偏光板４２０Ｒ，４２０Ｇ，４２０Ｂの光入射面に接着された反対側透光性部材４７０Ｒ，４７０Ｇ，４７０Ｂとしてサファイアからなる透光性基板を用いているが、これに替えて実施形態２で説明したような偏光分離光学素子を用いてもよい。この場合、集光レンズ３００Ｒ，３００Ｇ，３００Ｂから射出される光のうち所定の方向に軸を有する直線偏光は、偏光分離光学素子を透過して入射側偏光板４２０Ｒ，４２０Ｇ，４２０Ｂに入射することとなる一方、その他の光、すなわち入射側偏光板４２０Ｒ，４２０Ｇ，４２０Ｂへの進行を禁止されるべき光（入射側偏光板４２０Ｒ，４２０Ｇ，４２０Ｂの偏光層２０を透過しない偏光成分）は、偏光分離光学素子で反射されて系外に逃がされる。このため、集光レンズ３００Ｒ，３００Ｇ，３００Ｂから射出される光のうち入射側偏光板４２０Ｒ，４２０Ｇ，４２０Ｂの偏光層２０を透過しない偏光成分の光は、前段としての偏光分離光学素子によってほとんど除去されているため、入射側偏光板４２０Ｒ，４２０Ｇ，４２０Ｂにおける発熱そのものが効果的に抑制され、入射側偏光板４２０Ｒ，４２０Ｇ，４２０Ｂの温度上昇をさらに効果的に抑制することが可能になる。
なお、偏光分離光学素子としては、誘電体多層膜からなる偏光分離光学素子、多数の微細金属細線が配列されたワイヤグリッド型の偏光分離光学素子、二軸方向性の有るフィルムを複数枚積層してＸＹ型の偏光特性を持たせたＸＹ型偏光フィルムを用いた偏光分離光学素子などを好ましく用いることができる。
【０１６４】
また、実施形態４に係るプロジェクタ１００８において、射出側偏光板４４０Ｒ，４４０Ｇ，４４０Ｂの光射出面に接着された反対側透光性部材４８０Ｒ，４８０Ｇ，４８０Ｂとクロスダイクロイックプリズム５００とはそれぞれ離隔して配置されているが、反対側透光性部材４８０Ｒ，４８０Ｇ，４８０Ｂがクロスダイクロイックプリズム５００の複数の光入射端面にそれぞれ接着されていてもよい。この場合、射出側偏光板４４０Ｒ，４４０Ｇ，４４０Ｂで発生した熱を反対側透光性部材４８０Ｒ，４８０Ｇ，４８０Ｂを介してクロスダイクロイックプリズム５００に伝達することができるため、射出側偏光板４４０Ｒ，４４０Ｇ，４４０Ｂの温度上昇をさらに抑制することが可能となる。また、反対側透光性部材４８０Ｒ，４８０Ｇ，４８０Ｂが熱容量の比較的大きなクロスダイクロイックプリズム５００に接着されているため、反対側透光性部材４８０Ｒ，４８０Ｇ，４８０Ｂ及び射出側偏光板４４０Ｒ，４４０Ｇ，４４０Ｂの温度上昇を抑制し、プロジェクタの放熱性能を高めることができる。
【０１６５】
また、実施形態４に係るプロジェクタ１００８において、入射側偏光板４２０Ｒ，４２０Ｇ，４２０Ｂの光入射出面に接着された反対側透光性部材４７０Ｒ，４７０Ｇ，４７０Ｂと集光レンズ３００Ｒ，３００Ｇ，３００Ｂとはそれぞれ離隔して配置されているが、反対側透光性部材４７０Ｒ，４７０Ｇ，４７０Ｂが集光レンズ３００Ｒ，３００Ｇ，３００Ｂの光射出面にそれぞれ接着されていてもよい。この場合、入射側偏光板４２０Ｒ，４２０Ｇ，４２０Ｂで発生した熱を反対側透光性部材４７０Ｒ，４７０Ｇ，４７０Ｂを介して集光レンズ３００Ｒ，３００Ｇ，３００Ｂに伝達することができるため、入射側偏光板４２０Ｒ，４２０Ｇ，４２０Ｂの温度上昇をさらに抑制することが可能となる。また、反対側透光性部材４７０Ｒ，４７０Ｇ，４７０Ｂが熱容量の比較的大きな集光レンズ３００Ｒ，３００Ｇ，３００Ｂに接着されているため、反対側透光性部材４７０Ｒ，４７０Ｇ，４７０Ｂ及び入射側偏光板４２０Ｒ，４２０Ｇ，４２０Ｂの温度上昇を抑制し、プロジェクタの放熱性能を高めることができる。
【０１６６】
［実施形態５］
図９は、実施形態５に係るプロジェクタ１０１０を説明するために示す図である。図９（ａ）は光学装置５２０を上面から見た図であり、図９（ｂ）は図９（ａ）のＡ−Ａ断面図である。なお、図９において、図２と同一の部材については同一の符号を付し、詳細な説明は省略する。
【０１６７】
実施形態５に係るプロジェクタ１０１０（図示せず。）は、実施形態４に係るプロジェクタ１００８と基本的に同様の構成を有しているが、偏光板における支持層が省略されている点で、実施形態４に係るプロジェクタ１００８の場合と異なっている。
【０１６８】
すなわち、実施形態５に係るプロジェクタ１０１０においては、図９に示すように、入射側偏光板として、偏光層２０からなる入射側偏光板４２４Ｒ，４２４Ｇ，４２４Ｂを用いており、射出側偏光板として、偏光層４０からなる射出側偏光板４４４Ｒ，４４４Ｇ，４４４Ｂを用いている。
【０１６９】
このため、実施形態５に係るプロジェクタ１０１０によれば、入射側偏光板４２４Ｒ，４２４Ｇ，４２４Ｂが支持層を有していないため、支持層における分子配向の乱れの発生が存在しなくなる。つまり、支持層における熱歪による複屈折が、偏光層２０と液晶装置４１０Ｒ，４１０Ｇ，４１０Ｂとの間に存在しないので、入射側偏光板４２４Ｒ，４２４Ｇ，４２４Ｂの温度上昇に起因して入射側偏光板としての偏光特性が大きく低下して投写画像の画像品質を大きく低下させてしまうことがなくなる。
【０１７０】
また、実施形態５に係るプロジェクタ１０１０によれば、射出側偏光板４４４Ｒ，４４４Ｇ，４４４Ｂについても支持層を有していないため、支持層における分子配向の乱れの発生が存在しなくなる。つまり、支持層における熱歪による複屈折が、偏光層４０と液晶装置４１０Ｒ，４１０Ｇ，４１０Ｂとの間に存在しないので、射出側偏光板４４４Ｒ，４４４Ｇ，４４４Ｂの温度上昇に起因して射出側偏光板としての偏光特性が大きく低下して投写画像の画像品質を大きく低下させてしまうことがなくなる。
【０１７１】
通常、偏光板に使用される支持層は有機部材なので、熱伝導率が低く温度上層しやすい。また、有機部材からなる支持層は、高温高湿条件の下では劣化したり分子配向が乱れたりする。従って、有機部材からなる支持層を有する偏光板は、熱によって偏光特性が大きく低下して投写画像の画像品質を大きく低下させてしまうこととなる。
しかしながら、実施形態５に係るプロジェクタ１０１０によれば、入射側偏光板４２４Ｒ，４２４Ｇ，４２４Ｂ及び射出側偏光板４４４Ｒ，４４４Ｇ，４４４Ｂが支持層を有していないため、そのような不具合が生ずることもない。すなわち、投写画像の画像品質の低下を抑制することが可能となる。
【０１７２】
実施形態５に係るプロジェクタ１０１０は、入射側偏光板４２４Ｒ，４２４Ｇ，４２４Ｂ及び射出側偏光板４４４Ｒ，４４４Ｇ，４４４Ｂの劣化を抑制することができるため、長寿命のプロジェクタとなる。
【０１７３】
実施形態５に係るプロジェクタ１０１０は、偏光板における支持層が省略されている点以外の点では、実施形態４に係るプロジェクタ１００８と同様の構成を有するため、実施形態４に係るプロジェクタ１００８の場合と同様の効果を有する。
【０１７４】
なお、実施形態５に係るプロジェクタ１０１０において、入射側偏光板４２４Ｒ，４２４Ｇ，４２４Ｂの偏光層２０における光射出側表面には液晶装置側透光性部材４３２Ｒ，４３２Ｇ，４３２Ｂがそれぞれ接着され、入射側偏光板４２４Ｒ，４２４Ｇ，４２４Ｂの偏光層２０における光入射側表面には反対側透光性部材４７０Ｒ，４７０Ｇ，４７０Ｂがそれぞれ接着され、射出側偏光板４４４Ｒ，４４４Ｇ，４４４Ｂの偏光層４０における光入射側表面には液晶装置側透光性部材４５２Ｒ，４５２Ｇ，４５２Ｂがそれぞれ接着され、射出側偏光板４４４Ｒ，４４４Ｇ，４４４Ｂの偏光層４０における光射出側表面には反対側透光性部材４８０Ｒ，４８０Ｇ，４８０Ｂがそれぞれ接着されている構成を示したが、本発明はこれに限定されるものではなく、以下のような構成を採用することも可能である。
【０１７５】
例えば、実施形態５に係るプロジェクタ１０１０において、射出側偏光板４４４Ｒ，４４４Ｇ，４４４Ｂの偏光層４０の光入射側表面に接着された液晶装置側透光性部材４５２Ｒ，４５２Ｇ，４５２Ｂとしてサファイアからなる透光性基板を用いているが、これに替えて実施形態２で説明したような偏光分離光学素子を用いてもよい。
【０１７６】
また、実施形態５に係るプロジェクタ１０１０において、入射側偏光板４２４Ｒ，４２４Ｇ，４２４Ｂの光入射面に接着された反対側透光性部材４７０Ｒ，４７０Ｇ，４７０Ｂとしてサファイアからなる透光性基板を用いているが、これに替えて実施形態２で説明したような偏光分離光学素子を用いてもよい。
【０１７７】
また、実施形態５に係るプロジェクタ１０１０において、射出側偏光板４４４Ｒ，４４４Ｇ，４４４Ｂの光射出面に接着された反対側透光性部材４８０Ｒ，４８０Ｇ，４８０Ｂとクロスダイクロイックプリズム５００とはそれぞれ離隔して配置されているが、反対側透光性部材４８０Ｒ，４８０Ｇ，４８０Ｂがクロスダイクロイックプリズム５００の複数の光入射端面にそれぞれ接着されていてもよい。
【０１７８】
また、実施形態５に係るプロジェクタ１０１０において、入射側偏光板４２４Ｒ，４２４Ｇ，４２４Ｂの光入射出面に接着された反対側透光性部材４７０Ｒ，４７０Ｇ，４７０Ｂと集光レンズ３００Ｒ，３００Ｇ，３００Ｂとはそれぞれ離隔して配置されているが、反対側透光性部材４７０Ｒ，４７０Ｇ，４７０Ｂが集光レンズ３００Ｒ，３００Ｇ，３００Ｂの光射出面にそれぞれ接着されていてもよい。
【０１７９】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【０１８０】
（１）本発明の光学装置をプロジェクタに適用した例について説明したが、本発明はこれに限定されるものではない。本発明の光学装置を偏光光を用いる他の光学機器に適用することも可能である。
【０１８１】
（２）上記実施形態１及び２においては、第１の透光性部材４５０Ｒ，４５０Ｇ，４５０Ｂとクロスダイクロイックプリズム５００との間に射出側偏光板４４０Ｒ，４４０Ｇ，４４０Ｂを挟み込んだ構造、あるいは、第２の透光性部材４３０Ｒ，４３０Ｇ，４３０Ｂと集光レンズ３００Ｒ，３００Ｇ，３００Ｂとの間に入射側偏光板４２０Ｒ，４２０Ｇ，４２０Ｂを挟み込んだ構造を有するプロジェクタ１０００について説明したが、本発明はこれに限定されるものではなく、透光性部材と他の光学要素との間に偏光板を挟み込んだ構造を有するプロジェクタも本発明の範囲に含まれるものである。
【０１８２】
（３）上記実施形態１及び２のプロジェクタ１０００は、第１の透光性部材４５０Ｒ，４５０Ｇ，４５０Ｂ及び第２の透光性部材４３０Ｒ，４３０Ｇ，４３０Ｂの材料として、ともにサファイアを用いたが、本発明はこれに限定されるものではない。第１の透光性部材４５０Ｒ，４５０Ｇ，４５０Ｂ又は第２の透光性部材４３０Ｒ，４３０Ｇ，４３０Ｂの材料として、サファイアのほかに、水晶、石英ガラス、硬質ガラス、結晶化ガラスまたは立方晶の焼結体を用いてもよい。第１の透光性部材又は第２の透光性部材の材料として水晶を用いた場合には、サファイアの場合と同様の効果を得ることができる。また、第１の透光性部材又は第２の透光性部材の材料として石英ガラス、硬質ガラス、結晶化ガラスまたは立方晶の焼結体を用いた場合には、これらの材料は複屈折が小さいため、第１の透光性部材及び第２の透光性部材を通過する光束の品質低下を抑制することができる。また、これらの材料は熱膨張率が比較的小さいため、熱による伸び・変形が大きい性質を有する偏光板をこのような熱膨張率の小さな材料からなる第１の透光性部材又は第２の透光性部材に接着することにより、偏光板自体の変形を抑えることができる。また、第１の透光性部材及び第２の透光性部材の材料として、他の透明ガラス（例えば、白板ガラスやパイレックス（登録商標）など）、ＹＡＧ多結晶、酸窒化アルミニウムなども好適に用いることができる。つまり、第１の透光性部材４５０Ｒ，４５０Ｇ，４５０Ｂ及び第２の透光性部材４３０Ｒ，４３０Ｇ，４３０Ｂが無機材料であればよい。なお、立方晶の焼結体としては例えばＹＡＧの透光性焼結ガラスを採用できる。
なお、上述したことは、上記実施形態３〜５におけるプロジェクタ１００６〜１０１０における液晶装置側透光性部材４３２Ｒ，４３２Ｇ，４３２Ｂ，４５２Ｒ，４５２Ｇ，４５２Ｂ又は反対側透光性部材４７０Ｒ，４７０Ｇ，４７０Ｂ，４８０Ｒ，４８０Ｇ，４８０Ｂについても同様に上述したような無機材料から適宜選択することができる。
【０１８３】
（４）上記実施形態４及び５のプロジェクタ１００８，１０１０においては、液晶装置側透光性部材４３２Ｒ，４３２Ｇ，４３２Ｂ及び反対側透光性部材４７０Ｒ，４７０Ｇ，４７０Ｂの光学軸が、ともに偏光層２０の偏光軸に略平行又は略垂直となるように、液晶装置側透光性部材４３２Ｒ，４３２Ｇ，４３２Ｂ及び反対側透光性部材４７０Ｒ，４７０Ｇ，４７０Ｂを配置させたが、本発明はこれに限定されるものではない。また、上記実施形態４及び５のプロジェクタ１００８，１０１０においては、液晶装置側透光性部材４５２Ｒ，４５２Ｇ，４５２Ｂ及び反対側透光性部材４８０Ｒ，４８０Ｇ，４８０Ｂの光学軸が、ともに偏光層４０の偏光軸に略平行又は略垂直となるように、液晶装置側透光性部材４５２Ｒ，４５２Ｇ，４５２Ｂ及び反対側透光性部材４８０Ｒ，４８０Ｇ，４８０Ｂを配置させたが、本発明はこれに限定されるものではない。反対側透光性部材４７０Ｒ，４７０Ｇ，４７０Ｂの光学軸よりも液晶装置側透光性部材４３２Ｒ，４３２Ｇ，４３２Ｂの光学軸の方が、偏光層２０の偏光軸に対してより平行又はより垂直となるように、液晶装置側透光性部材４３２Ｒ，４３２Ｇ，４３２Ｂ及び反対側透光性部材４７０Ｒ，４７０Ｇ，４７０Ｂを配置させればよい。また、反対側透光性部材４８０Ｒ，４８０Ｇ，４８０Ｂの光学軸よりも液晶装置側透光性部材４５２Ｒ，４５２Ｇ，４５２Ｂの光学軸の方が、偏光層４０の偏光軸に対してより平行又はより垂直となるように、液晶装置側透光性部材４５２Ｒ，４５２Ｇ，４５２Ｂ及び反対側透光性部材４８０Ｒ，４８０Ｇ，４８０Ｂを配置させればよい。
なぜならば、液晶装置側透光性部材４３２Ｒ，４３２Ｇ，４３２Ｂ，４５２Ｒ，４５２Ｇ，４５２Ｂの光学軸のずれの方が反対側透光性部材４７０Ｒ，４７０Ｇ，４７０Ｂ，４８０Ｒ，４８０Ｇ，４８０Ｂの光学軸のずれよりも画像のコントラストに与える影響が大きい。一方、反対側透光性部材４７０Ｒ，４７０Ｇ，４７０Ｂの光学軸の大きなずれは、偏光変換素子からの射出光を乱す原因となり、また反対側透光性部材４８０Ｒ，４８０Ｇ，４８０Ｂの光学軸の大きなずれは、合成プリズムの透過効率低下する原因となる。
例えば、コントラスト５００：１程度のプロジェクタにする場合、プロジェクタのコントラストに与える影響を１割程度に抑えるためには、液晶装置側透光性部材４３２Ｒ，４３２Ｇ，４３２Ｂの光学軸と偏光層２０の偏光軸に平行な軸または垂直な軸とのズレ量は０．５度以内となるようにし、液晶装置側透光性部材４５２Ｒ，４５２Ｇ，４５２Ｂの光学軸と偏光層４０の偏光軸に平行な軸または垂直な軸とのズレ量は０．５度以内とすればよい。また、例えばプロジェクタの光利用効率への影響を１から２％に抑えるためには、反対側透光性部材４７０Ｒ，４７０Ｇ，４７０Ｂの光学軸と偏光層２０の偏光軸に平行または垂直な軸とのズレ量は５度以内となるようにし、反対側透光性部材４８０Ｒ，４８０Ｇ，４８０Ｂの光学軸と偏光層４０の偏光軸に平行または垂直な軸とのズレ量は５度以内とすればよい。
従って、液晶装置側透光性部材４３２Ｒ，４３２Ｇ，４３２Ｂの光学軸と偏光層２０の偏光軸に平行な軸または垂直な軸とのズレ量を、反対側透光性部材４７０Ｒ，４７０Ｇ，４７０Ｂの光学軸と偏光層２０の偏光軸に平行または垂直な軸とのズレ量よりも小さくすればよい。また、同様に、液晶装置側透光性部材４５２Ｒ，４５２Ｇ，４５２Ｂの光学軸と偏光層４０の偏光軸に平行な軸または垂直な軸とのズレ量を、反対側透光性部材４８０Ｒ，４８０Ｇ，４８０Ｂの光学軸と偏光層４０の偏光軸に平行または垂直な軸とのズレ量よりも小さくすればよい。
【０１８４】
（５）上記実施形態４及び５のプロジェクタ１００８，１０１０においては、液晶装置側透光性部材４３２Ｒ，４３２Ｇ，４３２Ｂ，４５２Ｒ，４５２Ｇ，４５２Ｂ及び反対側透光性部材４７０Ｒ，４７０Ｇ，４７０Ｂ，４８０Ｒ，４８０Ｇ，４８０Ｂとして、ともにサファイアからなる透光性基板を用いたが、本発明はこれに限定されるものではない。例えば、液晶装置側透光性部材及び反対側透光性部材のうち、一方の透光性部材は石英ガラス、硬質ガラス、結晶化ガラスまたは立方晶の焼結体からなる透光性基板であり、他方の透光性部材はサファイア又は水晶からなる透光性基板であってもよい。
偏光板周辺部の温度が所定温度よりも高い場合には、偏光板の熱的負荷を軽減するという観点から、液晶装置側透光性部材４３２Ｒ，４３２Ｇ，４３２Ｂ，４５２Ｒ，４５２Ｇ，４５２Ｂはサファイア又は水晶からなる透光性基板であることが好ましく、偏光板に入射する光束又は偏光板から射出される光束の品質低下を抑制するという観点から、反対側透光性部材４７０Ｒ，４７０Ｇ，４７０Ｂ，４８０Ｒ，４８０Ｇ，４８０Ｂは石英ガラス、硬質ガラス、結晶化ガラスまたは立方晶の焼結体からなる透光性基板であることが好ましい。
偏光板周辺部の温度が所定温度よりも低い場合には、偏光板に入射する光束又は偏光板から射出される光束の品質低下を抑制する観点から、液晶装置側透光性部材４３２Ｒ，４３２Ｇ，４３２Ｂ，４５２Ｒ，４５２Ｇ，４５２Ｂは石英ガラス、硬質ガラス、結晶化ガラスまたは立方晶の焼結体からなる透光性基板であることが好ましく、偏光板の熱的負荷を軽減するという観点から、反対側透光性部材４７０Ｒ，４７０Ｇ，４７０Ｂ，４８０Ｒ，４８０Ｇ，４８０Ｂはサファイア又は水晶からなる透光性基板であることが好ましい。
なお、立方晶の焼結体としては例えばＹＡＧの透光性焼結ガラスを採用できる。
【０１８５】
（６）上記実施形態２に係る光学装置５１４においては、偏光分離光学素子として、二軸方向性の有るフィルムを複数枚積層してＸＹ型の偏光特性を持たせたＸＹ型偏光フィルムを用いた偏光分離光学素子４６０Ｒ，４６０Ｇ，４６０Ｂを例示して説明したが、本発明はこれに限定されるものではない。偏光分離光学素子としては、例えば誘電体多層膜からなる偏光分離光学素子、多数の微細金属細線が配列されたワイヤグリッド型の偏光分離光学素子などを好ましく用いることができる。
【０１８６】
（７）上記実施形態１においては、液晶装置４１０Ｒ，４１０Ｇ，４１０Ｂの光入射側に配置された入射側偏光板４２０Ｒ，４２０Ｇ，４２０Ｂのすべてが第２の透光性部材４３０Ｒ，４３０Ｇ，４３０Ｂと集光レンズ３００Ｒ，３００Ｇ，３００Ｂとの間にそれぞれ挟み込まれ、液晶装置４１０Ｒ，４１０Ｇ，４１０Ｂの光射出側に配置された射出側偏光板４４０Ｒ，４４０Ｇ，４４０Ｂのすべてが第１の透光性部材４５０Ｒ，４５０Ｇ，４５０Ｂとクロスダイクロイックプリズム５００との間にそれぞれ挟み込まれた構造を有する光学装置５１０について説明したが、本発明はこれに限定されるものではない。入射側偏光板４２０Ｒ，４２０Ｇ，４２０Ｂのうち少なくとも１つの入射側偏光板が第２の透光性部材４３０Ｒ，４３０Ｇ，４３０Ｂと集光レンズ３００Ｒ，３００Ｇ，３００Ｂとの間に挟み込まれ、射出側偏光板４４０Ｒ，４４０Ｇ，４４０Ｂのうち少なくとも１つの射出側偏光板が第１の透光性部材４５０Ｒ，４５０Ｇ，４５０Ｂとクロスダイクロイックプリズム５００との間に挟み込まれた構造を有する光学装置も本発明の範囲に含まれるものである。
【０１８７】
（８）上記実施形態２においては、液晶装置４１０Ｒ，４１０Ｇ，４１０Ｂの光射出側に配置された射出側偏光板４４０Ｒ，４４０Ｇ，４４０Ｂのすべてが偏光分離光学素子４６０Ｒ，４６０Ｇ，４６０Ｂとクロスダイクロイックプリズム５００との間にそれぞれ挟み込まれた構造を有する光学装置５１４について説明したが、本発明はこれに限定されるものではない。射出側偏光板４４０Ｒ，４４０Ｇ，４４０Ｂのうち少なくとも１つの射出側偏光板が偏光分離光学素子４６０Ｒ，４６０Ｇ，４６０Ｂとクロスダイクロイックプリズム５００との間に挟み込まれた構造を有する光学装置も本発明の範囲に含まれるものである。
【０１８８】
（９）上記実施形態３においては、液晶装置４１０Ｒ，４１０Ｇ，４１０Ｂの光入射側に配置された入射側偏光板４２０Ｒ，４２０Ｇ，４２０Ｂのすべてが液晶装置側透光性部材４３２Ｒ，４３２Ｇ，４３２Ｂに接着され、液晶装置４１０Ｒ，４１０Ｇ，４１０Ｂの光射出側に配置された射出側偏光板４４０Ｒ，４４０Ｇ，４４０Ｂのすべてが液晶装置側透光性部材４５２Ｒ，４５２Ｇ，４５２Ｂに接着された構造を有する光学装置５１８について説明したが、本発明はこれに限定されるものではない。入射側偏光板４２０Ｒ，４２０Ｇ，４２０Ｂのうち少なくとも１つの入射側偏光板が液晶装置側透光性部材４３２Ｒ，４３２Ｇ，４３２Ｂに接着され、射出側偏光板４４０Ｒ，４４０Ｇ，４４０Ｂのうち少なくとも１つの射出側偏光板が液晶装置側透光性部材４５２Ｒ，４５２Ｇ，４５２Ｂに接着された構造を有する光学装置も、本発明の範囲に含まれるものである。
【０１８９】
（１０）上記実施形態４においては、液晶装置４１０Ｒ，４１０Ｇ，４１０Ｂの光入射側に配置された入射側偏光板４２０Ｒ，４２０Ｇ，４２０Ｂのすべてが液晶装置側透光性部材４３２Ｒ，４３２Ｇ，４３２Ｂと反対側透光性部材４７０Ｒ，４７０Ｇ，４７０Ｂとの間にそれぞれ挟み込まれ、液晶装置４１０Ｒ，４１０Ｇ，４１０Ｂの光射出側に配置された射出側偏光板４４０Ｒ，４４０Ｇ，４４０Ｂのすべてが液晶装置側透光性部材４５２Ｒ，４５２Ｇ，４５２Ｂと反対側透光性部材４８０Ｒ，４８０Ｇ，４８０Ｂとの間にそれぞれ挟み込まれた構造を有する光学装置５１８について説明したが、本発明はこれに限定されるものではない。入射側偏光板４２０Ｒ，４２０Ｇ，４２０Ｂのうち少なくとも１つの入射側偏光板が液晶装置側透光性部材４３２Ｒ，４３２Ｇ，４３２Ｂと反対側透光性部材４７０Ｒ，４７０Ｇ，４７０Ｂとの間に挟み込まれ、射出側偏光板４４０Ｒ，４４０Ｇ，４４０Ｂのうち少なくとも１つの射出側偏光板が液晶装置側透光性部材４５２Ｒ，４５２Ｇ，４５２Ｂと反対側透光性部材４８０Ｒ，４８０Ｇ，４８０Ｂとの間に挟み込まれた構造を有する光学装置も本発明の範囲に含まれるものである。
【０１９０】
（１１）上記実施形態５においては、液晶装置４１０Ｒ，４１０Ｇ，４１０Ｂの光入射側に配置された入射側偏光板４２４Ｒ，４２４Ｇ，４２４Ｂのすべてが液晶装置側透光性部材４３２Ｒ，４３２Ｇ，４３２Ｂと反対側透光性部材４７０Ｒ，４７０Ｇ，４７０Ｂとの間にそれぞれ挟み込まれ、液晶装置４１０Ｒ，４１０Ｇ，４１０Ｂの光射出側に配置された射出側偏光板４４４Ｒ，４４４Ｇ，４４４Ｂのすべてが液晶装置側透光性部材４５２Ｒ，４５２Ｇ，４５２と反対側透光性部材４８０Ｒ，４８０Ｇ，４８０Ｂとの間にそれぞれ挟み込まれた構造を有する光学装置５２０について説明したが、本発明はこれに限定されるものではない。入射側偏光板４２４Ｒ，４２４Ｇ，４２４Ｂのうち少なくとも１つの入射側偏光板が液晶装置側透光性部材４３２Ｒ，４３２Ｇ，４３２Ｂと反対側透光性部材４７０Ｒ，４７０Ｇ，４７０Ｂとの間に挟み込まれ、射出側偏光板４４４Ｒ，４４４Ｇ，４４４Ｂのうち少なくとも１つの射出側偏光板が液晶装置側透光性部材４５２Ｒ，４５２Ｇ，４５２Ｂと反対側透光性部材４８０Ｒ，４８０Ｇ，４８０Ｂとの間に挟み込まれた構造を有する光学装置も本発明の範囲に含まれるものである。
【０１９１】
（１２）上記実施形態１の変形例において、光入射側の支持層だけではなく光射出側の支持層も省略された構造を有する偏光板（偏光層２０）を第１の透光性部材及びクロスダイクロイックプリズムに接着する際は、まず第１の透光性部材及びクロスダイクロイックプリズムのいずれか一方に粘着剤を介して偏光層２０を接着しその後熱処理を施してから他方に接着するのが好ましい。また、偏光層２０を第２の透光性部材及び集光レンズに接着する際は、まず第２の透光性部材及び集光レンズのいずれか一方に粘着剤を介して偏光層を接着しその後熱処理を施してから他方に接着するのが好ましい。この場合熱処理は、摂氏８０度〜１１０度の環境に０．５〜１０時間放置すればよい。これにより、偏光層２０の熱による初期的な収縮がなされるから、プロジェクタ１０００に組み込まれ光が照射され熱が加わったとしても熱応力による偏光層２０の損傷を防止できる。
【０１９２】
（１３）上記実施形態５において、支持層を有していない偏光層２０を液晶装置側透光性部材及び反対側透光性部材に接着する際は、まず液晶装置側透光性部材及び反対側透光性部材のいずれか一方に粘着剤を介して偏光層２０を接着しその後熱処理を施してから他方に接着するのが好ましい。この場合熱処理は、摂氏８０度〜１１０度の環境に０．５〜１０時間放置すればよい。これにより、偏光層２０の熱による初期的な収縮がなされるから、プロジェクタ１０１０に組み込まれ光が照射され熱が加わったとしても熱応力による偏光層２０の損傷を防止できる。
【０１９３】
（１４）上記実施形態１のプロジェクタ１０００においては、光源装置として、楕円面リフレクタ１１４と、楕円面リフレクタ１１４の第１焦点近傍に発光中心を有する発光管１１２と、凹レンズ１１８とを有する光源装置１１０を用いたが、本発明はこれに限定されるものではなく、放物面リフレクタと、放物面リフレクタの焦点近傍に発光中心を有する発光管とを有する光源装置をも好ましく用いることができる。
【０１９４】
（１５）上記実施形態１のプロジェクタ１０００においては、発光管１１２に反射手段としての補助ミラー１１６が配設されている場合を例示して説明したが、本発明はこれに限定されるものではなく、発光管に補助ミラーが配設されていないものであっても本発明を適用することができる。
【０１９５】
（１６）上記実施形態１のプロジェクタ１０００においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【０１９６】
（１７）上記各実施形態において、３つの液晶装置４１０Ｒ，４１０Ｇ，４１０Ｂを用いたプロジェクタを例示して説明したが、本発明はこれに限定されるものではなく、１つ、２つ又は４つ以上の液晶装置を用いたプロジェクタにも適用可能である。
【０１９７】
（１８）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１９８】
【図１】実施形態１に係るプロジェクタ１０００の光学系を示す図。
【図２】実施形態１に係る光学装置５１０を説明するために示す図。
【図３】実施形態１に係る光学装置５１０の要部を説明するために示す図。
【図４】実施形態１の変形例に係る光学装置５１２を説明するために示す図。
【図５】実施形態２に係る光学装置５１４を説明するために示す図。
【図６】偏光分離光学素子４６０Ｒ周辺部分を側面から見た図。
【図７】実施形態３に係るプロジェクタ１００６を説明するために示す図。
【図８】実施形態４に係るプロジェクタ１００８を説明するために示す図。
【図９】実施形態５に係るプロジェクタ１０１０を説明するために示す図。
【符号の説明】
【０１９９】
１０…筐体、１２…熱伝導性のスペーサ、１４，１６…熱伝導部材、２０，４０…偏光層、２２，４２…支持層、１００…照明装置、１００ａｘ…照明光軸、１１０…光源装置、１１２…発光管、１１４…楕円面リフレクタ、１１６…補助ミラー、１１８…平行化レンズ、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４１０Ｒ，４１０Ｇ，４１０Ｂ…液晶装置、４１２Ｒ，４１２Ｇ，４１２Ｂ，４１４Ｒ，４１４Ｇ，４１４Ｂ…ガラス基板、４２０Ｒ，４２０Ｇ，４２０Ｂ，４２２Ｒ，４２２Ｇ，４２２Ｂ…入射側偏光板、４３０Ｒ，４３０Ｇ，４３０Ｂ…第２の透光性部材、４３２Ｒ，４３２Ｇ，４３２Ｂ，４５２Ｒ，４５２Ｇ，４５２Ｂ…液晶装置側透光性部材、４４０Ｒ，４４０Ｇ，４４０Ｂ，４４２Ｒ，４４２Ｇ，４４２Ｂ…射出側偏光板、４５０Ｒ，４５０Ｇ，４５０Ｂ…第１の透光性部材、４６０Ｒ，４６０Ｇ，４６０Ｂ…偏光分離光学素子、４６２Ｒ…ＸＹ型偏光フィルム、４６４Ｒ，４６６Ｒ…ガラスプリズム、４６８Ｒ…光吸収手段、４７０Ｒ，４７０Ｇ，４７０Ｂ，４８０Ｒ，４８０Ｇ，４８０Ｂ…反対側透光性部材、５００…クロスダイクロイックプリズム、５１０，５１２，５１４，５１６，５１８，５２０…光学装置、６００…投写光学系、１０００…プロジェクタ、Ｃ…接着層、Ｄ…粘着層、ＳＣＲ…スクリーン。
【図１】
0004462239.tif 000002
【図２】
0004462239.tif 000003
【図３】
0004462239.tif 000004
【図４】
0004462239.tif 000005
【図５】
0004462239.tif 000006
【図６】
0004462239.tif 000007
【図７】
0004462239.tif 000008
【図８】
0004462239.tif 000009
【図９】
0004462239.tif 000010